(57)【要約】  チャネル状態情報リポートに優先度を付けるための、無線デバイスによって実施される方法が提供される。本方法は、送信のために各々別々にスケジュールされる複数のチャネル状態情報リポートの部分を、リポートが、データが無線デバイスによって正常に受信されたのか正常に受信されなかったのかを示す確認応答情報とともに同じスロット中で送信されると決定したことに応答して、送信することを決定することを含む。本方法は、そのスロット中で無線デバイスによって、チャネル状態情報のその部分と確認応答情報とを送信することをさらに含む。また、基地局によって実施される方法と無線デバイスと基地局とが提供される。【選択図】図３
2021511708.tif 000002
【特許請求の範囲】
【請求項１】
チャネル状態情報リポートに優先度を付けるための、無線デバイスによって実施される方法であって、
送信のために各々別々にスケジュールされる複数のチャネル状態情報リポートの部分を、前記リポートが、データが前記無線デバイスによって正常に受信されたのか正常に受信されなかったのかを示す確認応答情報とともに同じスロット中で送信されると決定したことに応答して、送信することを決定することと、
前記スロット中で前記無線デバイスによって、チャネル状態情報の前記部分と前記確認応答情報とを送信することと
を含む、方法。
【請求項２】
前記部分を送信することを前記決定することが、
前記複数のチャネル状態情報リポートのうちの少なくとも１つを送信しないことを決定すること
を含む、請求項１に記載の方法。
【請求項３】
前記部分を送信することを前記決定することが、
優先度付け基準に従って前記チャネル状態情報リポートの前記部分を選択すること
を含む、請求項１または２に記載の方法。
【請求項４】
前記優先度付け基準がチャネル状態情報リポートのパラメータに関連付けられた、請求項３に記載の方法。
【請求項５】
前記パラメータがリポート信号受信電力（ＲＳＲＰ）である、請求項４に記載の方法。
【請求項６】
前記優先度付け基準がチャネル状態情報リポートの識別子に関連付けられた、請求項３から５のいずれか一項に記載の方法。
【請求項７】
前記優先度付け基準がチャネル状態情報リポートの時間領域挙動に関連付けられた、請求項３から６のいずれか一項に記載の方法。
【請求項８】
前記部分を送信することを前記決定することは、各リポートが、前記確認応答情報も送信される、前記スロットの少なくとも１つの同じシンボル上で送信されると決定することを含む、請求項１から７のいずれか一項に記載の方法。
【請求項９】
前記複数のチャネル状態情報リポートの各々が、それぞれの物理アップリンク制御チャネル（ＰＵＣＣＨ）上での送信のためにスケジュールされる、請求項１から８のいずれか一項に記載の方法。
【請求項１０】
前記複数のチャネル状態情報リポートの各々が周期的および／または半永続的チャネル状態情報リポートである、請求項１から９のいずれか一項に記載の方法。
【請求項１１】
前記確認応答情報がハイブリッド自動再送要求確認応答（ＨＡＲＱ−ＡＣＫ）である、請求項１から１０のいずれか一項に記載の方法。
【請求項１２】
前記部分を送信することを前記決定することは、前記チャネル状態情報リポートのうちのそれぞれの１つまたは複数を各々伝達する少なくとも２つのＰＵＣＣＨリソースが、ＨＡＲＱ−ＡＣＫを伝達する動的にスケジュールされたＰＵＣＣＨと重複すると決定することを含む、請求項１１に記載の方法。
【請求項１３】
ネットワークノードによって実施される方法であって、前記方法は、
無線デバイスから、同じスロット中で前記ネットワークノードによって、複数のチャネル状態情報リポートから選択された少なくとも１つの、優先するチャネル状態情報リポートと、データが前記無線デバイスによって正常に受信されたのか正常に受信されなかったのかを示す確認応答情報とを受信することであって、前記複数のチャネル状態情報リポートの各々と前記確認応答情報とが、前記同じスロット中での前記無線デバイスによる送信のために別々にスケジュールされる、少なくとも１つの、優先するチャネル状態情報リポートと、データが前記無線デバイスによって正常に受信されたのか正常に受信されなかったのかを示す確認応答情報とを受信すること
を含む、方法。
【請求項１４】
前記無線デバイスによる送信のために前記複数のチャネル状態情報リポートを別々にスケジュールすることをさらに含む、請求項１３に記載の方法。
【請求項１５】
前記少なくとも１つの、優先するチャネル状態情報リポートが、優先度付け基準に基づいて複数のチャネル状態情報から選択される、請求項１３または１４に記載の方法。
【請求項１６】
前記少なくとも１つの、優先するチャネル状態情報リポートが、優先度付け基準に基づいて受信される、請求項１３から１５のいずれか一項に記載の方法。
【請求項１７】
前記優先度付け基準がチャネル状態情報リポートの時間領域挙動に関連付けられた、請求項１５または１６に記載の方法。
【請求項１８】
前記優先度付け基準がチャネル状態情報リポートのパラメータに関連付けられた、請求項１５から１６のいずれか一項に記載の方法。
【請求項１９】
前記パラメータがリポート信号受信電力（ＲＳＲＰ）である、請求項１８に記載の方法。
【請求項２０】
前記優先度付け基準がチャネル状態情報リポートの識別子に関連付けられた、請求項１５から１９のいずれか一項に記載の方法。
【請求項２１】
前記受信することが、前記スロットの少なくとも１つのシンボル上でのものである、請求項１３から２０のいずれか一項に記載の方法。
【請求項２２】
前記複数のチャネル状態情報リポートの各々が、それぞれの物理アップリンク制御チャネル（ＰＵＣＣＨ）上での送信のためにスケジュールされる、請求項１３から２１のいずれか一項に記載の方法。
【請求項２３】
前記確認応答情報がハイブリッド自動再送要求確認応答（ＨＡＲＱ−ＡＣＫ）である、請求項１３から２２のいずれか一項に記載の方法。
【請求項２４】
無線デバイスであって、
処理回路要素とメモリとを備え、前記メモリが、前記処理回路要素によって実行可能な命令を含んでおり、それにより、前記無線デバイスは、
送信のために各々別々にスケジュールされる複数のチャネル状態情報リポートの部分を、前記リポートが、データが前記無線デバイスによって正常に受信されたのか正常に受信されなかったのかを示す確認応答情報とともに同じスロット中で送信されると決定したことに応答して、送信することを決定することと、
前記スロット中で前記無線デバイスによって、チャネル状態情報の前記部分と前記確認応答情報とを送信することと
を行うように設定された、無線デバイス。
【請求項２５】
前記無線デバイスが、前記複数のチャネル状態情報リポートのうちの少なくとも１つを送信しないことを決定することによって、前記部分を送信することを決定するように設定された、請求項２４に記載の無線デバイス。
【請求項２６】
前記無線デバイスが、優先度付け基準に従って前記チャネル状態情報リポートの前記部分を選択することによって、前記部分を送信することを決定するように設定された、請求項２４または２５に記載の無線デバイス。
【請求項２７】
前記優先度付け基準がチャネル状態情報リポートのパラメータに関連付けられた、請求項２６に記載の無線デバイス。
【請求項２８】
前記パラメータがリポート信号受信電力（ＲＳＲＰ）である、請求項２７に記載の無線デバイス。
【請求項２９】
前記優先度付け基準がチャネル状態情報リポートの識別子に関連付けられた、請求項２６から２８のいずれか一項に記載の無線デバイス。
【請求項３０】
前記優先度付け基準がチャネル状態情報リポートの時間領域挙動に関連付けられた、請求項２６から２９のいずれか一項に記載の無線デバイス。
【請求項３１】
前記無線デバイスは、各リポートが、前記確認応答情報も送信される、前記スロットの少なくとも１つの同じシンボル上で送信されると決定するように設定された、請求項２４から３０のいずれか一項に記載の無線デバイス。
【請求項３２】
前記複数のチャネル状態情報リポートの各々が、それぞれの物理アップリンク制御チャネル（ＰＵＣＣＨ）上での送信のためにスケジュールされる、請求項２４から３１のいずれか一項に記載の無線デバイス。
【請求項３３】
前記複数のチャネル状態情報リポートの各々が周期的および／または半永続的チャネル状態情報リポートである、請求項２４から３２のいずれか一項に記載の無線デバイス。
【請求項３４】
前記確認応答情報がハイブリッド自動再送要求確認応答（ＨＡＲＱ−ＡＣＫ）である、請求項２４から３３のいずれか一項に記載の無線デバイス。
【請求項３５】
前記無線デバイスは、前記チャネル状態情報リポートのうちのそれぞれの１つまたは複数を各々伝達する少なくとも２つのＰＵＣＣＨリソースが、ＨＡＲＱ−ＡＣＫを伝達する動的にスケジュールされたＰＵＣＣＨと重複すると決定するように設定された、請求項３４に記載の無線デバイス。
【請求項３６】
無線デバイスの少なくとも１つのプロセッサによって実行されたとき、前記無線デバイスに請求項１から１２のいずれか一項に記載のステップを行わせる命令を備える、コンピュータプログラム。
【請求項３７】
請求項３６に記載のコンピュータプログラムを含んでいるキャリアであって、前記キャリアが、電子信号、光信号、無線信号、またはコンピュータ可読記憶媒体のうちの１つである、キャリア。
【請求項３８】
基地局であって、
処理回路要素とメモリとを備え、前記メモリが、前記処理回路要素によって実行可能な命令を含んでおり、それにより、前記基地局は、
無線デバイスから、同じスロット中でネットワークノードによって、複数のチャネル状態情報リポートから選択された少なくとも１つの、優先するチャネル状態情報リポートと、データが前記無線デバイスによって正常に受信されたのか正常に受信されなかったのかを示す確認応答情報とを受信することであって、前記複数のチャネル状態情報リポートの各々と前記確認応答情報とが、前記同じスロット中での前記無線デバイスによる送信のために別々にスケジュールされる、少なくとも１つの、優先するチャネル状態情報リポートと、データが前記無線デバイスによって正常に受信されたのか正常に受信されなかったのかを示す確認応答情報とを受信すること
を行うように設定された、基地局。
【請求項３９】
前記基地局が、前記無線デバイスによる送信のために前記複数のチャネル状態情報リポートを別々にスケジュールするように設定された、請求項３８に記載の基地局。
【請求項４０】
前記少なくとも１つの、優先するチャネル状態情報リポートが、優先度付け基準に基づいて複数のチャネル状態情報から選択される、請求項３８または３９に記載の基地局。
【請求項４１】
前記少なくとも１つの、優先するチャネル状態情報リポートが、優先度付け基準に基づいて前記基地局によって受信される、請求項３８から４０のいずれか一項に記載の基地局。
【請求項４２】
前記優先度付け基準がチャネル状態情報リポートの時間領域挙動に関連付けられた、請求項４０または４１に記載の基地局。
【請求項４３】
前記優先度付け基準がチャネル状態情報リポートのパラメータに関連付けられた、請求項４０から４２のいずれか一項に記載の基地局。
【請求項４４】
前記パラメータがリポート信号受信電力（ＲＳＲＰ）である、請求項４３に記載の基地局。
【請求項４５】
前記優先度付け基準がチャネル状態情報リポートの識別子に関連付けられた、請求項４０から４４のいずれか一項に記載の基地局。
【請求項４６】
前記受信することが、前記スロットの少なくとも１つのシンボル上でのものである、請求項３８から４５のいずれか一項に記載の基地局。
【請求項４７】
前記複数のチャネル状態情報リポートの各々が、それぞれの物理アップリンク制御チャネル（ＰＵＣＣＨ）上での送信のためにスケジュールされる、請求項３８から４６のいずれか一項に記載の基地局。
【請求項４８】
前記確認応答情報がハイブリッド自動再送要求確認応答（ＨＡＲＱ−ＡＣＫ）である、請求項３８から４７のいずれか一項に記載の基地局。
【請求項４９】
基地局の少なくとも１つのプロセッサによって実行されたとき、前記基地局に請求項１３から２３のいずれか一項に記載のステップを行わせる命令を備える、コンピュータプログラム。
【請求項５０】
請求項４９に記載のコンピュータプログラムを含んでいるキャリアであって、前記キャリアが、電子信号、光信号、無線信号、またはコンピュータ可読記憶媒体のうちの１つである、キャリア。
【発明の詳細な説明】
【技術分野】
【０００１】
本開示は、チャネル状態情報リポート（ｒｅｐｏｒｔ）に優先度を付ける（ｐｒｉｏｒｉｔｉｚｅ）ための、無線デバイスによって実施される方法に関する。本開示は、基地局によって実施される方法と無線デバイスと基地局とにさらに関する。
【背景技術】
【０００２】
次世代移動体無線通信システム（５Ｇ）または新しい無線（ＮＲ）は、使用事例の多様なセットおよび展開シナリオの多様なセットをサポートすることになる。後者は、今日のＬＴＥと同様の低周波数（数百ＭＨｚ）と超高周波数（数十ＧＨｚ単位のｍｍ波）の両方における展開を含む。
【０００３】
ＬＴＥと同様に、ＮＲは、ダウンリンクでは（すなわち、ネットワークノード、ｇＮＢ、ｅＮＢ、または基地局から、ユーザ機器またはＵＥに向かう）ＯＦＤＭを使用することになる。アップリンクでは（すなわち、ＵＥからｇＮＢに向かう）、ＤＦＴ拡散ＯＦＤＭとＯＦＤＭの両方がサポートされることになる。
【０００４】
したがって、基本ＮＲ物理リソースは、図１に示されているように、時間周波数グリッドとして見られ得、各リソースエレメントが、１つのＯＦＤＭシンボル間隔中の１つのＯＦＤＭサブキャリアに対応する。スロット中のリソース割り当ては、周波数領域におけるリソースブロック（ＲＢ）と時間領域におけるＯＦＤＭシンボルの数とに関して説明される。ＲＢは１２個の連続サブキャリアに対応し、スロットは１４個のＯＦＤＭシンボルからなる。
【０００５】
異なるサブキャリアスペーシング値がＮＲにおいてサポートされる。ＮＲにおける（ヌメロロジーとも呼ばれる）サポートされるサブキャリアスペーシング値は、Δｆ＝（１５×２α）ｋＨｚによって与えられ、ただし、αは非負整数である。
【０００６】
時間領域では、ＮＲにおけるダウンリンク送信およびアップリンク送信は、図２に示されているように、ＬＴＥと同様に、等しいサイズのサブフレームに編成される。サブフレームはさらにスロットに分割され、サブフレームごとのスロットの数は、（１５×２α）ｋＨｚのヌメロロジーについて２α＋１である。
【０００７】
ＮＲは「スロットベース」送信をサポートする。各スロット中で、ｇＮＢは、データがどのＵＥに送信されるべきであるか、およびデータが現在のダウンリンクスロット中のどのリソース上で送信されるかに関するダウンリンク制御情報（ＤＣＩ）を送信する。ＤＣＩは、物理制御チャネル（ＰＤＣＣＨ）上で搬送され、データは、物理ダウンリンク共有チャネル（ＰＤＳＣＨ）上で搬送される。
【０００８】
このＰＤＣＣＨは、典型的に、各スロット中の最初の数個のＯＦＤＭシンボル中の制御リソースセット（ＣＯＲＳＥＴ）中で送信される。ＵＥが最初にＰＤＣＣＨを復号し、ＰＤＣＣＨが正常に復号された場合、ＵＥは、ＰＤＣＣＨ中の復号されたＤＣＩに基づいて、対応するＰＤＳＣＨを復号する。
【０００９】
アップリンクデータ送信も、ＰＤＣＣＨを使用して動的にスケジュールされる。ダウンリンクと同様に、ＵＥは、最初に、ＰＤＣＣＨによって搬送されたＤＣＩ中のアップリンクグラントを復号し、次いで、変調次数、コーディングレート、アップリンクリソース割り当てなど、アップリンクグラント中の復号された制御情報に基づいて、物理アップリンク共有チャネル（ＰＵＳＣＨ）上でデータを送信する。
【００１０】
各ＵＥは、ネットワーク接続中に一意のＣ−ＲＮＴＩ（セル無線ネットワーク一時識別子）を割り振られる。ＵＥのためのＤＣＩにアタッチされたＣＲＣ（巡回冗長検査）ビットは、ＵＥのＣ−ＲＮＴＩによってスクランブルされ、したがって、ＵＥは、割り振られたＣ−ＲＮＴＩに対してＤＣＩのＣＲＣビットを検査することによって、ＵＥ自体のＤＣＩを認識する。
【００１１】
ＰＵＣＣＨ
ＮＲの動作は、ＵＥからネットワークへの、様々な制御情報の送信を必要とする。そのようなアップリンク制御情報（ＵＣＩ）の例は、ハイブリッドＡＲＱ（ＨＡＲＱ）確認応答、チャネル状態情報（ＣＳＩ）、およびスケジューリング要求（ＳＲ）である。ＵＣＩは、
・  スロット間隔の終了においてまたはスロット間隔中のいずれかで発生する別個の制御チャネル、ＰＵＣＣＨ
上で送信され、
・  ＰＵＳＣＨ上で、データと多重化され、送信され得る（「ＰＵＳＣＨ上のＵＣＩ」）。
【００１２】
下記の表に示されているように、制御情報を送信するために使用され得るＰＵＣＣＨについて規定された複数のフォーマットがある。
表１:可能なPUCCHフォーマット規定
2021511708.tif 000003
【００１３】
ＰＵＣＣＨフォーマット０および２は、スロット中の１つまたは２つのＯＦＤＭシンボル上でのみ送信されるので、短いＰＵＣＣＨフォーマットと呼ばれる。ＰＵＣＣＨフォーマット１、３および４は、（スロットアグリゲーションがない場合）最高１４個のＯＦＤＭシンボル中で送信され得、ＰＵＣＣＨスロットアグリゲーションが設定された場合、複数のスロットにさえわたり得るため、長いＰＵＣＣＨフォーマットと呼ばれる。表に示されているように、長いＰＵＣＣＨフォーマットと短いＰＵＣＣＨフォーマットの両方は、長いＰＵＣＣＨフォーマットと短いＰＵＣＣＨフォーマットとが含んでいることがあるＵＣＩビットの数に応じて再分割される。
【００１４】
単一のスロットは、同じＵＥによって送信されることも送信されないこともある単一のＰＵＣＣＨフォーマットならびに複数のＰＵＣＣＨフォーマットの複数の送信を含んでいることがある。たとえば、１４個のＯＦＤＭシンボルに及ぶスロットは、１２個のＯＦＤＭシンボルに及ぶ長いＰＵＣＣＨと、後続の、２つのＯＦＤＭシンボルに及ぶ短いＰＵＣＣＨとを含んでいることがある。
【００１５】
異なるＰＵＣＣＨフォーマットは異なる目的のために使用される。２ビット以下を含んでいるＰＵＣＣＨフォーマットは、概して、同じ時間および周波数リソースにおいて複数のＵＥを多重化することができ、長いＰＵＣＣＨは短いＰＵＣＣＨよりも多くのユーザを多重化することが可能である。ＰＵＣＣＨフォーマット４は複数のＵＥを多重化することができ、各ＵＥは３つ以上のビットを有する。
【００１６】
ＰＵＣＣＨリソース
ＵＣＩを送信するためにＵＥによって使用されるＰＵＣＣＨリソースが、物理リソースブロック（ＰＲＢ）、ＯＦＤＭシンボル、シーケンスとそれらの巡回シフト、および使用される直交カバーコード（ＯＣＣ）によって規定され得る。ＯＣＣ、シーケンスおよび巡回シフトは、いくつかのＰＵＣＣＨフォーマットのためにのみ適用可能であることに留意されたい。
【００１７】
所与のスロット中で、ＵＥは、以下のうちの１つまたは複数を送信しなければならないことがある。
・  ＨＡＲＱ確認応答（ＨＡＲＱ−ＡＣＫ）
・  チャネル状態情報（ＣＳＩ）
・  スケジューリング要求（ＳＲ）
【００１８】
ＣＳＩ情報は、周期的に、たとえば、Ｎ個のスロットごとに１回送信されるようにスケジュールされ得る。ＳＲは、ＵＥが送られるべき何らかのデータを有するとき、ＵＥによって送信される。ＨＡＲＱ−ＡＣＫ情報は、ダウンリンクにおけるＰＤＳＣＨ送信が正常に受信されたか否かを確認応答するために送信される。ＨＡＲＱ−ＡＣＫは、トランスポートブロック全体を確認応答するためのシングルビット、または、各々がコードブロックグループ（ＣＢＧ）、すなわち、トランスポートブロックを備えるコードブロックの中のコードブロックのセットを表す複数のビットからなり得る。
【００１９】
ＰＵＣＣＨリソースの決定
ＵＣＩの異なるタイプの各々について使用されるべきＰＵＣＣＨリソースは、概して、ｇＮＢによって制御され得る。これは、ダウンリンク制御情報（ＤＣＩ）メッセージの、半静的設定（ＲＲＣシグナリング）を通してまたは動的シグナリングを通してのいずれかで、明示的リソース割り振りを介して行われ得る。
【００２０】
さらに、ＵＥはまた、ＰＵＣＣＨリソースを暗黙的に決定することができる。たとえば、ＰＵＣＣＨリソースは、スロット中で送信されるべきＵＣＩビットの数に基づいて決定され得る。スケジュールされたＰＤＳＣＨのためのＨＡＲＱ−ＡＣＫ送信のためのＰＵＣＣＨリソースも、ＰＤＳＣＨをスケジュールする受信された制御チャネルメッセージ（ＰＤＣＣＨ）が開始する制御チャネルエレメント（ＣＣＥ）によって暗黙的に決定され得る。この手法はＬＴＥにおいて使用される。そのような暗黙的リソース決定は、動的シグナリングのためにこうむるオーバーヘッドを低減し、ＵＣＩの送信のために異なるＵＥによって決定されたＰＵＣＣＨリソース間の衝突を回避するのを助けることができる。
【００２１】
ｇＮＢは、概して、ＵＥによって送信されるべきビット数、または、どのリソースを、ＳＲなど、ＵＥによる自律送信を予想すべきかに気づいているので、ｇＮＢは、すべてのＵＣＩ情報が受信されなければならないリソースに気づいている。たとえば、ＰＤＳＣＨのためのいくつかのダウンリンク割り振りが失われたとき、ＰＵＣＣＨ送信のために使用されるべきリソースに関してＵＥとｇＮＢとの間で不整合が発生し得るいくつかの誤り事例がある。しかしながら、そのような不整合は、極めて小さい確率で発生し、時々、ｇＮＢが複数の仮定されたＰＵＣＣＨリソース上で復号を実施することによって、扱われ得る。
【００２２】
ＣＳＩ報告
チャネル状態情報（ＣＳＩ）フィードバックは、複数のアンテナポート上でＤＬデータをＵＥにどのように送信すべきかを決定するためにＵＥからＤＬ  ＣＳＩを取得するために、ｇＮＢによって使用される。ＣＳＩは、典型的に、チャネルランクインジケータ（ＲＩ）と、プリコーディング行列インジケータ（ＰＭＩ）と、チャネル品質インジケータ（ＣＱＩ）とを含む。ＲＩは、ＵＥに同時に送信され得るデータレイヤの数を示すために使用され、ＰＭＩは、示されたデータレイヤ上でプリコーディング行列を示すために使用され、ＣＱＩは、示されたランクおよびプリコーディング行列によって達成され得る変調およびコーディングレートを示すために使用される。
【００２３】
ＮＲでは、ＬＴＥの場合のような周期的および非周期的ＣＳＩ報告に加えて、半永続的ＣＳＩ報告もサポートされる。したがって、ＮＲでは、３つのタイプのＣＳＩ報告が以下のようにサポートされることになる。
・  ＰＵＣＣＨ上での周期的ＣＳＩ（Ｐ−ＣＳＩ）報告：ＣＳＩは、ＵＥによって周期的に報告される。周期性およびスロットオフセットなど、パラメータは、ｇＮＢからＵＥへの上位レイヤＲＲＣシグナリングによって半静的に設定される
・  ＰＵＳＣＨ上での非周期的ＣＳＩ（Ａ−ＣＳＩ）報告：このタイプのＣＳＩ報告は、ＤＣＩを使用してｇＮＢによって動的にトリガされる、ＵＥによるシングルショット（すなわち、１回）のＣＳＩリポートを伴う。非周期的ＣＳＩリポートの設定に関係するパラメータのうちのいくつかが、ＲＲＣによって半静的に設定されるが、トリガリングは動的である。
・  ＰＵＣＣＨ上での半永続的ＣＳＩ（ＳＰ−ＣＳＩ）報告：周期的ＣＳＩ報告と同様に、半永続的ＣＳＩ報告は、半静的に設定され得る周期性およびスロットオフセットを有する。しかしながら、ＳＰ−ＣＳＩ報告をアクティブ化または非アクティブ化するために、ＭＡＣ  ＣＥ上で伝達される動的Ｌ２制御メッセージが必要とされる
【００２４】
ＮＲにおけるＣＳＩフレームワーク：
ＮＲでは、ＵＥは、Ｎ≧１個のＣＳＩ報告セッティング（すなわちＲｅｐｏｒｔＣｏｎｆｉｇｓ）とＭ≧１個のリソースセッティング（すなわちＲｅｓｏｕｒｃｅＣｏｎｆｉｇｓ）と１つのＣＳＩ測定セッティングとが設定され得、ここで、ＣＳＩ測定セッティングはＬ≧１個の測定リンク（すなわちＭｅａｓＬｉｎｋＣｏｎｆｉｇｓ）を含む。少なくとも以下の設定パラメータは、ＣＳＩ獲得のためにＲＲＣを介してシグナリングされる。
１．  Ｎ、Ｍ、およびＬは、暗黙的にまたは明示的にのいずれかで示される
２．  各ＣＳＩ報告セッティングにおいて、少なくとも以下が含まれる。
−  ＲＩ、ＰＭＩ、ＣＱＩなど、（１つまたは複数の）報告されたＣＳＩパラメータ
−  タイプＩまたはタイプＩＩなど、報告された場合、ＣＳＩタイプ
−  コードブックサブセット制限を含むコードブック設定
−  Ｐ−ＣＳＩ、ＳＰ−ＣＳＩ、またはＡ−ＣＳＩなど、時間領域挙動
−  広帯域、部分帯域、またはサブバンドなど、ＣＱＩおよびＰＭＩについての周波数粒度
−  周波数領域におけるＲＢおよび時間領域におけるスロットなど、測定制限設定
３．  各ＣＳＩ−ＲＳリソースセッティングにおいて、
−  Ｓ≧１個の（１つまたは複数の）ＣＳＩ−ＲＳリソースセットの設定
−  少なくとも、ＲＥへのマッピング、アンテナポートの数、時間領域挙動などを含む、各リソースセットｓについてのＫｓ≧１個のＣＳＩ−ＲＳリソースの設定
−  時間領域挙動：非周期的、周期的、または半永続的
４．  ＣＳＩ測定セッティングにおけるＬ個のリンクの各々において、
−  ＣＳＩ報告セッティング指示、リソースセッティング指示、測定されるべき量（チャネルまたは干渉のいずれか）
−  １つのＣＳＩ報告セッティングが１つまたは複数のリソースセッティングとリンクされ得る
−  複数のＣＳＩ報告セッティングが１つのリソースセッティングにリンクされ得る
【００２５】
ＣＳＩリポートＲＲＣ設定
ＴＳ３８．３３１  ｖ１．０．１では、ＣＳＩリポートセッティングは、以下のように設定される。
2021511708.tif 000004
2021511708.tif 000005
2021511708.tif 000006
【００２６】
ＰＵＣＣＨ上でのＣＳＩ報告
ＰＵＣＣＨ上の複数の周期的および／または半永続的ＣＳＩリポートは、同時にアクティブであり得る。各そのようなＣＳＩリポートは、関連する周期性およびスロットオフセット、ならびに、ＣＳＩリポートが送信されることを意図されるＰＵＣＣＨリソースを有する。ＣＳＩリポートを搬送するＰＵＣＣＨが、動的にスケジュールされたＰＵＳＣＨ送信と（時間領域において）衝突する場合、周期的／半永続的ＣＳＩリポートはＰＵＳＣＨにピギーバックされる。
【００２７】
同様に、ＣＳＩリポートを搬送するＰＵＣＣＨが、動的にスケジュールされたＨＡＲＱ−ＡＣＫまたはＳＲを搬送する別のＰＵＣＣＨと衝突する場合、ＣＳＩリポートは、典型的に、ＨＡＲＱ−ＡＣＫ／ＳＲを搬送するＰＵＣＣＨリソースにピギーバックされる。
【発明の概要】
【００２８】
現在、（１つまたは複数の）ある課題が存在する。
【００２９】
いくつかのＰＵＣＣＨベースＣＳＩリポートが同じスロット中で発生するように設定され、それにより、ＣＳＩリポートの異なる設定に対応する２つ以上のＰＵＣＣＨ送信発生が、ＨＡＲＱ−ＡＣＫまたはＳＲを搬送するＰＵＣＣＨ送信と衝突し、時間的に重複することが可能である。その事例では、ＵＥ挙動は明らかでない。
【００３０】
本開示のいくつかの態様およびそれらの実施形態は、これらまたは他の課題のソリューションを提供し得る。
【００３１】
本発明によれば、チャネル状態情報リポートに優先度を付けるための、無線デバイスによって実施される方法が提供される。本方法は、送信のために各々別々にスケジュールされる複数のチャネル状態情報リポートの部分を、リポートが、データが無線デバイスによって正常に受信されたのか正常に受信されなかったのかを示す確認応答情報とともに同じスロット中で送信されると決定したことに応答して、送信することを決定することを含む。本方法は、そのスロット中で無線デバイスによって、チャネル状態情報のその部分と確認応答情報とを送信することをさらに含む。
【００３２】
本発明によれば、ネットワークノードによって実施される方法がさらに提供される。本方法は、無線デバイスから、同じスロット中でネットワークノードによって、複数のチャネル状態情報リポートから選択された少なくとも１つの、優先する（ｐｒｉｏｒｉｔｉｚｅｄ）チャネル状態情報リポートと、データが無線デバイスによって正常に受信されたのか正常に受信されなかったのかを示す確認応答情報とを受信することであって、複数のチャネル状態情報リポートの各々と確認応答情報とが、同じスロット中での無線デバイスによる送信のために別々にスケジュールされる、少なくとも１つの、優先するチャネル状態情報リポートと、データが無線デバイスによって正常に受信されたのか正常に受信されなかったのかを示す確認応答情報とを受信することを含む。
【００３３】
本発明によれば、処理回路要素とメモリとを備える無線デバイスがさらに提供され、メモリは、処理回路要素によって実行可能な命令を含んでおり、それにより、本無線デバイスは、送信のために各々別々にスケジュールされる複数のチャネル状態情報リポートの部分を、リポートが、データが無線デバイスによって正常に受信されたのか正常に受信されなかったのかを示す確認応答情報とともに同じスロット中で送信されると決定したことに応答して、送信することを決定するように設定される。本無線デバイスは、そのスロット中で無線デバイスによって、チャネル状態情報のその部分と確認応答情報とを送信するようにさらに設定される。
【００３４】
本発明によれば、処理回路要素とメモリとを備える基地局がさらに提供され、メモリは、処理回路要素によって実行可能な命令を含んでおり、それにより、本基地局は、無線デバイスから、同じスロット中でネットワークノードによって、複数のチャネル状態情報リポートから選択された少なくとも１つの、優先するチャネル状態情報リポートと、データが無線デバイスによって正常に受信されたのか正常に受信されなかったのかを示す確認応答情報とを受信することであって、複数のチャネル状態情報リポートの各々と確認応答情報とが、同じスロット中での無線デバイスによる送信のために別々にスケジュールされる、少なくとも１つの、優先するチャネル状態情報リポートと、データが無線デバイスによって正常に受信されたのか正常に受信されなかったのかを示す確認応答情報とを受信することを行うように設定される。
【００３５】
有利に、本発明の実施形態は、優先するチャネル状態情報リポートをも伝達しながら確認応答情報が確実に送信されることを可能にする。
【００３６】
いくつかの例では、１つのＣＳＩリポートのみがＨＡＲＱ−ＡＣＫのためのＰＵＣＣＨリソースにピギーバックされるように、衝突するＣＳＩリポートのＣＳＩパラメータに応じた優先度ルール（ｐｒｉｏｒｉｔｙ  ｒｕｌｅ）のセットが規定され得る。
【００３７】
ＣＳＩ優先度（ｐｒｉｏｒｉｔｙ）は、各ＣＳＩリポートのためのＣＳＩリポート設定中のパラメータから決定され得る。
【００３８】
いくつかの実施形態は、（１つまたは複数の）以下の技術的利点のうちの１つまたは複数を提供し得る。
【００３９】
ＨＡＲＱ−ＡＣＫは、あいまいなＵＥ挙動を生じることなしに、基準に従って最優先のＣＳＩリポートをも伝達しながら、確実に送信される。
【００４０】
次に、本開示の実施形態が、単に例として、および添付の図面を参照しながら説明される。
【図面の簡単な説明】
【００４１】
【図１】ＮＲ物理リソースの一例の図である。
【図２】１５ｋＨｚサブキャリアスペーシングをもつＮＲ時間領域構造を示す図である。
【図３】一実施形態による、チャネル状態情報リポートに優先度を付けるためのシステムを示す図である。
【図４】一実施形態による、無線デバイスを示す図である。
【図５】一実施形態による、無線デバイスの概略ブロック図である。
【図６】一実施形態による、無線デバイスによって実施される方法を示す図である。
【図７】一実施形態による、ネットワークノードを示す図である。
【図８】一実施形態による、ネットワークノードの概略ブロック図である。
【図９】一実施形態による、ネットワークノードによって実施される方法を示す図である。
【図１０】無線ネットワークを示す図である。
【図１１】ＵＥを示す図である。
【図１２】いくつかの実施形態によって実装される機能が仮想化され得る、仮想化環境を示す概略ブロック図である。
【図１３】電気通信ネットワークを示す図である。
【図１４】いくつかの実施形態による、基地局を介してユーザ機器と通信するホストコンピュータを示す図である。
【図１５】一実施形態による、通信システムにおいて実装される方法を示す図である。
【図１６】一実施形態による、通信システムにおいて実装される方法を示す図である。
【図１７】一実施形態による、通信システムにおいて実装される方法を示す図である。
【図１８】一実施形態による、通信システムにおいて実装される方法を示す図である。
【発明を実施するための形態】
【００４２】
一実施形態では、図３は、本明細書で説明される様々な態様による、チャネル状態情報リポートに優先度を付けるためのシステム３００の一実施形態を示す。図３では、システム３００は、ネットワークノード３０１（たとえば、基地局、ｇＮＢ）と、無線デバイス３１１（たとえば、ＵＥ）とを含み得る。一実施形態では、ネットワークノード３０１は、セル３０３に関連付けられ得る。一例では、セルは、基地局のセクタ中のキャリアである。無線デバイス３１１は、複数のチャネル状態情報リポート３２１、３２３（各リポートが送信のために別々にスケジュールされる）が、データが無線デバイス３１１によって正常に受信されたのか正常に受信されなかったのかを示す確認応答情報３２５とともに、同じスロット３１３（またはスロット３１３の少なくとも１つのシンボル）中での送信のために、別々にスケジュールされると決定する。応答して、無線デバイス３１１は、これらの複数のチャネル状態情報リポート３２１、３２３の部分３２７を送信することを決定する。無線デバイス３１１は、次いで、同じスロット３１３中で、これらのリポート３２１、３２３の部分３２７と確認応答情報３２５とを送信する。
【００４３】
別の実施形態では、無線デバイス３１１は、優先度付け基準に従ってリポート３２１、３２３の部分３２７を選択する。この優先度付け（ｐｒｉｏｒｉｔｉｚａｔｉｏｎ）基準は、チャネル状態情報リポートに関連付けられた以下の特性、すなわち、ペイロードサイズ、時間領域挙動、送信周期性、周波数粒度、タイプ、チャネル品質、チャネル状態情報リポートパラメータ、チャネル状態情報リポート識別子などのうちの１つまたは複数に基づき得る。
【００４４】
一実施形態では、ネットワークノード３０１は、同じスロット３１３中で、無線デバイス３１１から、少なくとも１つの、優先するチャネル状態情報リポート３２７と、データが無線デバイス３１１によって正常に受信されたのか正常に受信されなかったのかを示す確認応答情報３２５とを受信する。さらに、各リポート３２１、３２３と確認応答情報３２５とは、同じスロット３１３中での無線デバイスによる送信のために別々にスケジュールされる。
【００４５】
図３では、ネットワークノード３０１は、ＬＴＥ、ＵＭＴＳ、ＧＳＭ、ＮＢ−ＩｏＴ、５Ｇ新しい無線（ＮＲ）など、またはそれらの任意の組合せなど、１つまたは複数の通信システムをサポートするように設定され得る。さらに、ネットワークノード３０１は、基地局、アクセスポイントなどであり得る。また、ネットワークノード３０１は、無線デバイス３１１をサーブし得る。無線デバイス３１１は、ＬＴＥ、ＵＭＴＳ、ＧＳＭ、ＮＢ−ＩｏＴ、５Ｇ  ＮＲなど、またはそれらの任意の組合せなど、１つまたは複数の通信システムをサポートするように設定され得る。
【００４６】
上記で説明された装置が、任意の機能的手段、モジュール、ユニット、または回路要素を実装することによって、本明細書の方法および任意の他の処理を実施し得ることに留意されたい。一実施形態では、たとえば、装置は、方法の図に示されているステップを実施するように設定されたそれぞれの回路または回路要素を備える。回路または回路要素は、この点について、ある機能的処理を実施することに専用の回路および／またはメモリとともに１つまたは複数のマイクロプロセッサを備え得る。たとえば、回路要素は、１つまたは複数のマイクロプロセッサまたはマイクロコントローラ、ならびに、デジタル信号プロセッサ（ＤＳＰ）、専用デジタル論理などを含み得る、他のデジタルハードウェアを含み得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の電気通信および／またはデータ通信プロトコルを実行するためのプログラム命令、ならびに本明細書で説明される技法のうちの１つまたは複数を行うための命令を含み得る。メモリを採用する実施形態では、メモリは、１つまたは複数のプロセッサによって実行されたとき、本明細書で説明される技法を行うプログラムコードを記憶する。
【００４７】
たとえば、図４は、本明細書で説明される様々な実施形態による、無線デバイス４００の一実施形態を示す。図示のように、無線デバイス４００は、処理回路要素４１０と通信回路要素４２０とを含む。通信回路要素４２０（たとえば、無線回路要素）は、たとえば、任意の通信技術を介して、情報を１つまたは複数の他のノードに送信し、および／または１つまたは複数の他のノードから受信するように設定される。そのような通信は、無線デバイス４００の内部または外部のいずれかにある１つまたは複数のアンテナを介して行われ得る。処理回路要素４１０は、メモリ４３０に記憶された命令を実行することなどによって、上記でおよび／または以下で説明される処理を実施するように設定される。処理回路要素４１０は、この点について、いくつかの機能的手段、ユニット、またはモジュールを実装し得る。
【００４８】
図５は、本明細書で説明される様々な実施形態による、無線ネットワーク（たとえば、図３および図１２に示されている無線ネットワーク）における無線デバイス５００の一実施形態の概略ブロック図を示す。図示のように、無線デバイス５００は、たとえば、図４中の処理回路要素４１０を介して、および／またはソフトウェアコードを介して、様々な機能的手段、ユニット、またはモジュールを実装する。一実施形態では、たとえば、本明細書の（１つまたは複数の）方法を実装するための、これらの機能的手段、ユニット、またはモジュールは、たとえば、送信のために各々別々にスケジュールされる複数のチャネル状態情報リポートの部分を、リポートが、データが無線デバイスによって正常に受信されたのか正常に受信されなかったのかを示す確認応答情報とともに同じスロット中で送信されると決定したことに応答して、送信することを決定するためのＣＳＩ送信決定ユニット５１１と、優先度付け基準に従ってチャネル状態情報リポートの部分を選択するためのＣＳＩ選択ユニット５１３と、そのスロット中で無線デバイスによって、チャネル状態情報のその部分と確認応答情報とを送信するための送信ユニット５１５とを含み得る。
【００４９】
図６は、本明細書で説明される様々な実施形態による、無線デバイスによって実施される方法６００の一実施形態を示す。図６では、方法６００は、たとえば、ブロック６０１において開始し得、方法６００は、送信のために各々別々にスケジュールされる複数のチャネル状態情報リポートの部分を、リポートが、データが無線デバイスによって正常に受信されたのか正常に受信されなかったのかを示す確認応答情報とともに同じスロット中で送信されると決定したことに応答して、送信することを決定することを含む。さらに、ブロック６０３において、方法６００は、優先度付け基準に従ってチャネル状態情報リポートの部分を選択することを含み得る。また、ブロック６０６において、方法６００は、そのスロット中で無線デバイスによって、チャネル状態情報のその部分と確認応答情報とを送信することを含む。
【００５０】
ブロック６０１は、複数のチャネル状態情報リポートのうちの少なくとも１つを送信しないことを決定することを含み得る。
【００５１】
優先度付け基準は、チャネル状態情報リポートのパラメータに関連付けられ得る。パラメータは、リポート信号受信電力（ＲＳＲＰ：Ｒｅｐｏｒｔ  Ｓｉｇｎａｌ  Ｒｅｃｅｉｖｅｄ  Ｐｏｗｅｒ）であり得る。優先度付け基準は、チャネル状態情報リポートがＲＳＲＰを報告するかどうかに依存し得る。［ＶＤＫ１］追加または代替として、優先度付け基準は、チャネル状態情報リポートの識別子に関連付けられ得る。追加または代替として、優先度付け基準は、チャネル状態情報リポートの時間領域挙動に関連付けられ得る。
【００５２】
ブロック６０１は、各リポートが、確認応答情報も送信される、スロットの少なくとも１つの同じシンボル上で送信されると決定することを含み得る。
【００５３】
複数のチャネル状態情報リポートの各々は、それぞれの物理アップリンク制御チャネル（ＰＵＣＣＨ）上での送信のためにスケジュールされ得る。
【００５４】
複数のチャネル状態情報リポートの各々は、周期的および／または半永続的チャネル状態情報リポートであり得る。
【００５５】
確認応答情報は、ハイブリッド自動再送要求確認応答（ＨＡＲＱ−ＡＣＫ）であり得る。
【００５６】
ブロック６０１は、チャネル状態情報リポートのうちのそれぞれの１つまたは複数を各々伝達する少なくとも２つのＰＵＣＣＨリソースが、ＨＡＲＱ−ＡＣＫを伝達する動的にスケジュールされたＰＵＣＣＨと重複すると決定することを含み得る。
【００５７】
図７は、本明細書で説明される様々な実施形態に従って実装されるネットワークノード７００を示す。図示のように、ネットワークノード７００は、処理回路要素７１０と通信回路要素７２０とを含む。通信回路要素７２０は、たとえば、任意の通信技術を介して、情報を１つまたは複数の他のノードに送信し、および／または１つまたは複数の他のノードから受信するように設定される。処理回路要素７１０は、メモリ７３０に記憶された命令を実行することなどによって、上記で説明された処理を実施するように設定される。処理回路要素７１０は、この点について、いくつかの機能的手段、ユニット、またはモジュールを実装し得る。
【００５８】
図８は、本明細書で説明される様々な実施形態による、無線ネットワークにおけるネットワークノード８００（たとえば、図３および図１２に示されているネットワークノード）の一実施形態の概略ブロック図を示す。図示のように、ネットワークノード８００は、たとえば、図７中の処理回路要素７１０を介して、および／またはソフトウェアコードを介して、様々な機能的手段、ユニット、またはモジュールを実装する。一実施形態では、たとえば、本明細書の（１つまたは複数の）方法を実装するための、これらの機能的手段、ユニット、またはモジュールは、たとえば、無線デバイスから、同じスロット中でネットワークノードによって、複数のチャネル状態情報リポートから選択された少なくとも１つの、優先するチャネル状態情報リポートと、データが無線デバイスによって正常に受信されたのか正常に受信されなかったのかを示す確認応答情報とを受信するための受信ユニット８１１を含み得る。また、複数のチャネル状態情報リポートの各々と確認応答情報とは、同じスロット中での無線デバイスによる送信のために別々にスケジュールされる。
【００５９】
図９は、本明細書で説明される様々な実施形態による、チャネル状態情報リポートに優先度を付けるための、ネットワークノードによって実施される方法９００の一実施形態を示す。図９では、方法９００は、ブロック９０１において、無線デバイスから、同じスロット中でネットワークノードによって、少なくとも１つの、優先するチャネル状態情報リポートと、データが無線デバイスによって正常に受信されたのか正常に受信されなかったのかを示す確認応答情報とを受信することを含む。また、複数のチャネル状態情報リポートの各々と確認応答情報とは、同じスロット中での無線デバイスによる送信のために別々にスケジュールされる。
【００６０】
方法は、ブロック９０２において、無線デバイスによる送信のために複数のチャネル状態情報リポートを別々にスケジュールすることをさらに含み得る。
【００６１】
少なくとも１つの、優先するチャネル状態情報リポートは、優先度付け基準に基づいて複数のチャネル状態情報から選択され得る。
【００６２】
少なくとも１つの、優先するチャネル状態情報リポートは、優先度付け基準に基づいて受信され得る。
【００６３】
優先度付け基準は、チャネル状態情報リポートの時間領域挙動に関連付けられ得る。追加または代替として、優先度付け基準は、チャネル状態情報リポートのパラメータに関連付けられ得る。パラメータは、リポート信号受信電力（ＲＳＲＰ）であり得る。追加または代替として、優先度付け基準は、チャネル状態情報リポートの識別子に関連付けられ得る。
【００６４】
ブロック９０１は、スロットの少なくとも１つのシンボル上で受信することを含み得る。
【００６５】
複数のチャネル状態情報リポートの各々は、それぞれの物理アップリンク制御チャネル（ＰＵＣＣＨ）上での送信のためにスケジュールされ得る。
【００６６】
確認応答情報は、ハイブリッド自動再送要求確認応答（ＨＡＲＱ−ＡＣＫ）であり得る。
【００６７】
また、本明細書の実施形態が、対応するコンピュータプログラムをさらに含むことを、当業者は諒解されよう。
【００６８】
コンピュータプログラムは、装置の少なくとも１つのプロセッサ上で実行されたとき、装置に、上記で説明されたそれぞれの処理のうちのいずれかを行わせる命令を備える。コンピュータプログラムは、この点について、上記で説明された手段またはユニットに対応する１つまたは複数のコードモジュールを備え得る。
【００６９】
実施形態は、そのようなコンピュータプログラムを含んでいるキャリアをさらに含む。このキャリアは、電子信号、光信号、無線信号、またはコンピュータ可読記憶媒体のうちの１つを備え得る。
【００７０】
この点について、本明細書の実施形態は、非一時的コンピュータ可読（記憶または記録）媒体に記憶され、装置のプロセッサによって実行されたとき、装置に、上記で説明されたように実施させる命令を備える、コンピュータプログラム製品をも含む。
【００７１】
実施形態は、コンピュータプログラム製品がコンピューティングデバイスによって実行されたとき、本明細書の実施形態のうちのいずれかのステップを実施するためのプログラムコード部分を備えるコンピュータプログラム製品をさらに含む。このコンピュータプログラム製品は、コンピュータ可読記録媒体に記憶され得る。
【００７２】
次に、追加の実施形態が説明される。これらの実施形態のうちの少なくともいくつかは、説明の目的で、いくつかのコンテキストおよび／または無線ネットワークタイプにおいて適用可能なものとして説明され得るが、実施形態は、明示的に説明されない他のコンテキストおよび／または無線ネットワークタイプにおいて同様に適用可能である。
【００７３】
ＵＥは、ＰＵＣＣＨ上の複数の周期的および／または半永続的ＣＳＩリポートが同じスロット中で発生し得るように、ＰＵＣＣＨ上の複数の周期的および／または半永続的ＣＳＩリポートが設定され得る。いくつかの事例において、それぞれのリポートのＰＵＣＣＨリソースが衝突し、すなわち、時間的に重複し得る。そのような事例が発生したとき、衝突するＣＳＩリポートのうちの１つのみが送信されるように、送信がドロップされ得るか、または代替的に、複数のＣＳＩリポートがマッピングされる単一の物理チャネルのみが送信されるように、一方の送信が他方の送信にピギーバックされる。どのリポートがドロップされるものとし、どれが送信されるものとするかは、低優先度から高優先度まで、異なる設定されたリポートをランク付けする優先度順序に依存し得る。
【００７４】
特に興味深い事例は、１つまたは複数のＣＳＩリポートを各々伝達する２つまたはそれ以上のＰＵＣＣＨリソースが、スロット中でＨＡＲＱ−ＡＣＫを伝達する動的にスケジュールされたＰＵＣＣＨと重複するときである。その事例では、ＵＥは、ＨＡＲＱ−ＡＣＫ情報に加えて、ＣＳＩリポートおよび可能性ＳＲを含むそのスロット中で、ＰＵＣＣＨリソース上でＵＣＩを送信することができる。異なるＣＳＩ報告設定に対応する複数のＣＳＩリポートの事例では、ＨＡＲＱ−ＡＣＫのためのＰＵＣＣＨリソースによって、衝突ＰＵＣＣＨリソース中で伝達されるＣＳＩリポートのうちの１つのみをピギーバックすることが望ましいことがあり、これは、さもなければ、ＨＡＲＱ−ＡＣＫの信頼性が損なわれ得るからである。本明細書の実施形態では、どのＣＳＩリポートがピギーバックされるかは、優先度ルールに従って決定される。そのＰＵＣＣＨ送信について、優先度をもたない（ｎｏｎ−ｐｒｉｏｒｉｔｉｚｅｄ）ＣＳＩリポートがドロップされ得、対応する報告が、次のそれぞれの送信オケージョンに延期され得る。
【００７５】
いくつかの実施形態では、優先度ルールは、より確実に受信され得るＣＳＩリポートが優先度を付けられるように、より小さいＣＳＩペイロードをもつＣＳＩリポートがより大きいＣＳＩペイロードをもつＣＳＩリポートに勝る優先度を有するように、ＣＳＩペイロードサイズに依存する。代替的に、最高コンテンツをもつＣＳＩリポートが優先度を有するように、より大きいペイロードサイズをもつＣＳＩリポートが、より小さいペイロードサイズをもつＣＳＩリポートに勝る優先度を有する。
【００７６】
他の実施形態では、優先度ルールは、ＭＡＣ  ＣＥ上での動的Ｌ２アクティブ化シグナリングを必要としているリポートが、ＲＲＣ  Ｌ３アクティブ化のみを必要とするリポートに勝る優先度を有するように、半永続的リポートが周期的リポートに勝る優先度を有するように、たとえばｒｅｐｏｒｔＣｏｎｆｉｇＴｙｐｅ  ＩＥによって規定された、ＣＳＩリポートの時間領域挙動に依存する。
【００７７】
また他の実施形態では、優先度ルールは、ドロップされた場合にｇＮＢがより長く待たなければならないリポートが送信されるように、より長い周期性で送信されるＣＳＩリポートが、より短い周期性で送信されるＣＳＩリポートに勝る優先度を有するように、ＣＳＩリポートの周期性に依存する。代替的に、より短寿命であり得るＣＳＩコンテンツが優先度を有し、送信されるように、より短い周期性をもつＣＳＩリポートが優先度を有する。周期性は、たとえばｒｅｐｏｒｔＳｌｏｔＣｏｎｆｉｇ  ＩＥによって決定され得る。
【００７８】
他の実施形態では、優先度ルールは、リポートの周波数粒度に依存する。たとえば、（ｃｑｉ−ＦｏｒｍａｔＩｎｄｉｃａｔｏｒおよびｐｍｉ−ＦｏｒｍａｔＩｎｄｉｃａｔｏｒによって規定され得るように）広帯域ＣＱＩ／ＰＭＩが使用されるか否か。いくつかのそのような実施形態では、ＵＥにおける不十分なチャネル推定品質の場合により確実に使用され得るより粗いＣＳＩコンテンツが優先度を有するように、広帯域ＣＱＩおよび／またはＰＭＩをもつＣＳＩリポートが優先度を有する。代替的に、最高ＣＳＩコンテンツを中継するより粒度の細かいＣＳＩが優先度を付けられるように、サブバンドＰＭＩおよび／またはＣＱＩをもつＣＳＩリポートが優先度を有する。
【００７９】
また他の実施形態では、優先度ルールは、ｃｏｄｅｂｏｏｋＣｏｎｆｉｇ  ＩＥによって識別され得るタイプＩまたはタイプＩＩなど、ＣＳＩタイプに依存する。その場合、タイプＩ  ＣＳＩが典型的にフォールバック送信のために使用されるので、タイプＩ  ＣＳＩはタイプＩＩ  ＣＳＩに勝る優先度を有し得る。
【００８０】
さらなる実施形態では、最も信頼できる送信を対象とするＣＳＩが伝達されるように、ＣＱＩ計算の目的のために、（たとえばｂｌｅｒ−Ｔａｒｇｅｔ  ＩＥを使用して）最も低いＢＬＥＲターゲットが設定されたＣＳＩリポートが優先度を有する。
【００８１】
さらなる実施形態では、優先度ルールは、ｒｅｐｏｒｔＱｕａｎｔｉｔｙ  ＩＥによって規定されるように、報告されたＣＳＩパラメータに依存する。たとえば、ｒｅｐｏｒｔＱｕａｎｔｉｔｙ＝ｃｒｉ−ＲＳＲＰまたはｒｅｐｏｒｔＱｕａｎｔｉｔｙ＝ｃｒｉによって与えられるようなビームリポートを備えるリポートが、他のコンテンツに勝る優先度を有し、これは、ビーム報告が、どのアナログビームフォーミングを使用すべきかを示し、他のＣＳＩコンテンツが、どのアナログビームフォーミングが使用されるかに典型的に依存するデジタルプリコーディングおよび／またはリンク適応を示すからである。
【００８２】
また他の実施形態では、優先度ルールは、より小さいまたはより大きいＩＤをもつリポートが優先度を有するように、一意のｒｅｐｏｒｔＣｏｎｆｉｇＩｄに依存する。この手法に伴う利益は、２つのリポートが同じｒｅｐｏｒｔＣｏｎｆｉｇＩｄを決して有することができないので、どのリポートが優先度を有するかに関するあいまいさが決してないことである。
【００８３】
上記の実施形態によって説明されたようなルールのうちのいずれかは、いくつかの実施形態において、互いとともに使用され得る。たとえば、ルール｛ルール＃１，ルール＃２，．．．｝のリストが使用され得る。第１のステップにおいて、２つのＣＳＩリポートの優先度順序が、ルール＃１によって決定される。ルール＃１が２つのリポートについて異なる優先度を割り振らない場合（たとえば、２つのリポートが同じ周期性、同じＣＳＩペイロードサイズなどを有する場合）、優先度は、第２のステップとして、ルール＃２によって決定され、以下同様である。たとえば、優先度は、一実施形態では、第１に、どのＣＳＩリポートが最も長い周期性を有するかによって決定され得、第２に、どのＣＳＩリポートが最も低いｒｅｐｏｒｔＣｏｎｆｉｇＩｄを有するかによって決定され得る。ｒｅｐｏｒｔＣｏｎｆｉｇＩｄが一意であるとき、ルールのこのリストは、あいまいさなしにＣＳＩリポートの可能なセットについて異なる優先度を常に割り振ることができ、これは、望ましい効果である。
【００８４】
本明細書で説明される主題は、任意の好適な構成要素を使用する任意の適切なタイプのシステムにおいて実装され得るが、本明細書で開示される実施形態は、図１０に示されている例示的な無線ネットワークなどの無線ネットワークに関して説明される。簡単のために、図１０の無線ネットワークは、ネットワーク１００６、ネットワークノード１０６０および１０６０ｂ、ならびにＷＤ１０１０、１０１０ｂ、および１０１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１０６０および無線デバイス（ＷＤ）１０１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００８５】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、狭帯域モノのインターネット（ＮＢ−ＩｏＴ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００８６】
ネットワーク１００６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００８７】
ネットワークノード１０６０およびＷＤ１０１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００８８】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００８９】
図１０では、ネットワークノード１０６０は、処理回路要素１０７０と、デバイス可読媒体１０８０と、インターフェース１０９０と、補助機器１０８４と、電源１０８６と、電力回路要素１０８７と、アンテナ１０６２とを含む。図１０の例示的な無線ネットワーク中に示されているネットワークノード１０６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード１０６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１０８０は、複数の別個のハードドライブならびに複数のＲＡＭモジュールを備え得る）。
【００９０】
同様に、ネットワークノード１０６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１０６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１０６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１０８０）、いくつかの構成要素は再利用され得る（たとえば、同じアンテナ１０６２がＲＡＴによって共有され得る）。ネットワークノード１０６０は、ネットワークノード１０６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１０６０内の他の構成要素に統合され得る。
【００９１】
処理回路要素１０７０は、ネットワークノードによって提供されるものとして本明細書で説明される、任意の決定動作、計算動作、または同様の動作（たとえば、いくつかの取得動作）を実施するように設定される。処理回路要素１０７０によって実施されるこれらの動作は、処理回路要素１０７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００９２】
処理回路要素１０７０は、単体で、またはデバイス可読媒体１０８０などの他のネットワークノード１０６０構成要素と併せてのいずれかで、ネットワークノード１０６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素１０７０は、デバイス可読媒体１０８０に記憶された命令、または処理回路要素１０７０内のメモリに記憶された命令を実行し得る。そのような機能性は、本明細書で説明される様々な無線特徴、機能、または利益のうちのいずれかを提供することを含み得る。いくつかの実施形態では、処理回路要素１０７０は、システムオンチップ（ＳＯＣ）を含み得る。
【００９３】
いくつかの実施形態では、処理回路要素１０７０は、無線周波数（ＲＦ）トランシーバ回路要素１０７２とベースバンド処理回路要素１０７４とのうちの１つまたは複数を含み得る。いくつかの実施形態では、無線周波数（ＲＦ）トランシーバ回路要素１０７２とベースバンド処理回路要素１０７４とは、別個のチップ（またはチップのセット）、ボード、または無線ユニットおよびデジタルユニットなどのユニット上にあり得る。代替実施形態では、ＲＦトランシーバ回路要素１０７２とベースバンド処理回路要素１０７４との一部または全部は、同じチップまたはチップのセット、ボード、あるいはユニット上にあり得る。
【００９４】
いくつかの実施形態では、ネットワークノード、基地局、ｅＮＢまたは他のそのようなネットワークデバイスによって提供されるものとして本明細書で説明される機能性の一部または全部は、デバイス可読媒体１０８０、または処理回路要素１０７０内のメモリに記憶された、命令を実行する処理回路要素１０７０によって実施され得る。代替実施形態では、機能性の一部または全部は、ハードワイヤード様式などで、別個のまたは個別のデバイス可読媒体に記憶された命令を実行することなしに、処理回路要素１０７０によって提供され得る。それらの実施形態のいずれでも、デバイス可読記憶媒体に記憶された命令を実行するか否かにかかわらず、処理回路要素１０７０は、説明される機能性を実施するように設定され得る。そのような機能性によって提供される利益は、処理回路要素１０７０単独に、またはネットワークノード１０６０の他の構成要素に限定されないが、全体としてネットワークノード１０６０によって、ならびに／または概してエンドユーザおよび無線ネットワークによって、享受される。
【００９５】
デバイス可読媒体１０８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素１０７０によって使用され得る情報、データ、および／または命令を記憶する、任意の他の揮発性または不揮発性、非一時的デバイス可読および／またはコンピュータ実行可能メモリデバイスを備え得る。デバイス可読媒体１０８０は、コンピュータプログラム、ソフトウェア、論理、ルール、コード、テーブルなどのうちの１つまたは複数を含むアプリケーション、および／または処理回路要素１０７０によって実行されることが可能であり、ネットワークノード１０６０によって利用される、他の命令を含む、任意の好適な命令、データまたは情報を記憶し得る。デバイス可読媒体１０８０は、処理回路要素１０７０によって行われた計算および／またはインターフェース１０９０を介して受信されたデータを記憶するために使用され得る。いくつかの実施形態では、処理回路要素１０７０およびデバイス可読媒体１０８０は、統合されていると見なされ得る。
【００９６】
インターフェース１０９０は、ネットワークノード１０６０、ネットワーク１００６、および／またはＷＤ１０１０の間のシグナリングおよび／またはデータの有線または無線通信において使用される。示されているように、インターフェース１０９０は、たとえば有線接続上でネットワーク１００６との間でデータを送るおよび受信するための（１つまたは複数の）ポート／（１つまたは複数の）端末１０９４を備える。インターフェース１０９０は、アンテナ１０６２に結合されるか、またはいくつかの実施形態では、アンテナ１０６２の一部であり得る、無線フロントエンド回路要素１０９２をも含む。無線フロントエンド回路要素１０９２は、フィルタ１０９８と増幅器１０９６とを備える。無線フロントエンド回路要素１０９２は、アンテナ１０６２および処理回路要素１０７０に接続され得る。無線フロントエンド回路要素は、アンテナ１０６２と処理回路要素１０７０との間で通信される信号を調節するように設定され得る。無線フロントエンド回路要素１０９２は、無線接続を介して他のネットワークノードまたはＷＤに送出されるべきであるデジタルデータを受信し得る。無線フロントエンド回路要素１０９２は、デジタルデータを、フィルタ１０９８および／または増幅器１０９６の組合せを使用して適切なチャネルおよび帯域幅パラメータを有する無線信号に変換し得る。無線信号は、次いで、アンテナ１０６２を介して送信され得る。同様に、データを受信するとき、アンテナ１０６２は無線信号を収集し得、次いで、無線信号は無線フロントエンド回路要素１０９２によってデジタルデータに変換される。デジタルデータは、処理回路要素１０７０に受け渡され得る。他の実施形態では、インターフェースは、異なる構成要素および／または構成要素の異なる組合せを備え得る。
【００９７】
いくつかの代替実施形態では、ネットワークノード１０６０は別個の無線フロントエンド回路要素１０９２を含まないことがあり、代わりに、処理回路要素１０７０は、無線フロントエンド回路要素を備え得、別個の無線フロントエンド回路要素１０９２なしでアンテナ１０６２に接続され得る。同様に、いくつかの実施形態では、ＲＦトランシーバ回路要素１０７２の全部または一部が、インターフェース１０９０の一部と見なされ得る。さらに他の実施形態では、インターフェース１０９０は、無線ユニット（図示せず）の一部として、１つまたは複数のポートまたは端末１０９４と、無線フロントエンド回路要素１０９２と、ＲＦトランシーバ回路要素１０７２とを含み得、インターフェース１０９０は、デジタルユニット（図示せず）の一部であるベースバンド処理回路要素１０７４と通信し得る。
【００９８】
アンテナ１０６２は、無線信号を送り、および／または受信するように設定された、１つまたは複数のアンテナまたはアンテナアレイを含み得る。アンテナ１０６２は、無線フロントエンド回路要素１０９２に結合され得、データおよび／または信号を無線で送信および受信することが可能な任意のタイプのアンテナであり得る。いくつかの実施形態では、アンテナ１０６２は、たとえば２ＧＨｚから６６ＧＨｚの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１０６２は、ネットワークノード１０６０とは別個であり得、インターフェースまたはポートを通してネットワークノード１０６０に接続可能であり得る。
【００９９】
アンテナ１０６２、インターフェース１０９０、および／または処理回路要素１０７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１０６２、インターフェース１０９０、および／または処理回路要素１０７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１００】
電力回路要素１０８７は、電力管理回路要素を備えるか、または電力管理回路要素に結合され得、本明細書で説明される機能性を実施するための電力を、ネットワークノード１０６０の構成要素に供給するように設定される。電力回路要素１０８７は、電源１０８６から電力を受信し得る。電源１０８６および／または電力回路要素１０８７は、それぞれの構成要素に好適な形式で（たとえば、各それぞれの構成要素のために必要とされる電圧および電流レベルにおいて）、ネットワークノード１０６０の様々な構成要素に電力を提供するように設定され得る。電源１０８６は、電力回路要素１０８７および／またはネットワークノード１０６０中に含まれるか、あるいは電力回路要素１０８７および／またはネットワークノード１０６０の外部にあるかのいずれかであり得る。たとえば、ネットワークノード１０６０は、電気ケーブルなどの入力回路要素またはインターフェースを介して外部電源（たとえば、電気コンセント）に接続可能であり得、それにより、外部電源は電力回路要素１０８７に電力を供給する。さらなる例として、電源１０８６は、電力回路要素１０８７に接続された、または電力回路要素１０８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１０１】
ネットワークノード１０６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図１０に示されている構成要素以外の追加の構成要素を含み得る。たとえば、ネットワークノード１０６０は、ネットワークノード１０６０への情報の入力を可能にするための、およびネットワークノード１０６０からの情報の出力を可能にするための、ユーザインターフェース機器を含み得る。これは、ユーザが、ネットワークノード１０６０のための診断、メンテナンス、修復、および他の管理機能を実施することを可能にし得る。
【０１０２】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、車両対あらゆるモノ（Ｖ２Ｘ）のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【０１０３】
示されているように、無線デバイス１０１０は、アンテナ１０１１と、インターフェース１０１４と、処理回路要素１０２０と、デバイス可読媒体１０３０と、ユーザインターフェース機器１０３２と、補助機器１０３４と、電源１０３６と、電力回路要素１０３７とを含む。ＷＤ１０１０は、ＷＤ１０１０によってサポートされる、たとえば、ほんの数個を挙げると、ＧＳＭ、ＷＣＤＭＡ、ＬＴＥ、ＮＲ、ＷｉＦｉ、ＷｉＭＡＸ、ＮＢ−ＩｏＴ、またはＢｌｕｅｔｏｏｔｈ無線技術など、異なる無線技術のための示されている構成要素のうちの１つまたは複数の複数のセットを含み得る。これらの無線技術は、ＷＤ１０１０内の他の構成要素と同じまたは異なるチップまたはチップのセットに統合され得る。
【０１０４】
アンテナ１０１１は、無線信号を送り、および／または受信するように設定された、１つまたは複数のアンテナまたはアンテナアレイを含み得、インターフェース１０１４に接続される。いくつかの代替実施形態では、アンテナ１０１１は、ＷＤ１０１０とは別個であり、インターフェースまたはポートを通してＷＤ１０１０に接続可能であり得る。アンテナ１０１１、インターフェース１０１４、および／または処理回路要素１０２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ１０１１は、インターフェースと見なされ得る。
【０１０５】
示されているように、インターフェース１０１４は、無線フロントエンド回路要素１０１２とアンテナ１０１１とを備える。無線フロントエンド回路要素１０１２は、１つまたは複数のフィルタ１０１８と増幅器１０１６とを備える。無線フロントエンド回路要素１０１２は、アンテナ１０１１および処理回路要素１０２０に接続され、アンテナ１０１１と処理回路要素１０２０との間で通信される信号を調節するように設定される。無線フロントエンド回路要素１０１２は、アンテナ１０１１に結合されるか、またはアンテナ１０１１の一部であり得る。いくつかの実施形態では、ＷＤ１０１０は別個の無線フロントエンド回路要素１０１２を含まないことがあり、むしろ、処理回路要素１０２０は、無線フロントエンド回路要素を備え得、アンテナ１０１１に接続され得る。同様に、いくつかの実施形態では、ＲＦトランシーバ回路要素１０２２の一部または全部が、インターフェース１０１４の一部と見なされ得る。無線フロントエンド回路要素１０１２は、無線接続を介して他のネットワークノードまたはＷＤに送出されるべきであるデジタルデータを受信し得る。無線フロントエンド回路要素１０１２は、デジタルデータを、フィルタ１０１８および／または増幅器１０１６の組合せを使用して適切なチャネルおよび帯域幅パラメータを有する無線信号に変換し得る。無線信号は、次いで、アンテナ１０１１を介して送信され得る。同様に、データを受信するとき、アンテナ１０１１は無線信号を収集し得、次いで、無線信号は無線フロントエンド回路要素１０１２によってデジタルデータに変換される。デジタルデータは、処理回路要素１０２０に受け渡され得る。他の実施形態では、インターフェースは、異なる構成要素および／または構成要素の異なる組合せを備え得る。
【０１０６】
処理回路要素１０２０は、単体で、またはデバイス可読媒体１０３０などの他のＷＤ１０１０構成要素と併せてのいずれかで、ＷＤ１０１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素１０２０は、本明細書で開示される機能性を提供するために、デバイス可読媒体１０３０に記憶された命令、または処理回路要素１０２０内のメモリに記憶された命令を実行し得る。
【０１０７】
示されているように、処理回路要素１０２０は、ＲＦトランシーバ回路要素１０２２、ベースバンド処理回路要素１０２４、およびアプリケーション処理回路要素１０２６のうちの１つまたは複数を含む。他の実施形態では、処理回路要素は、異なる構成要素および／または構成要素の異なる組合せを備え得る。いくつかの実施形態では、ＷＤ１０１０の処理回路要素１０２０は、ＳＯＣを備え得る。いくつかの実施形態では、ＲＦトランシーバ回路要素１０２２、ベースバンド処理回路要素１０２４、およびアプリケーション処理回路要素１０２６は、別個のチップまたはチップのセット上にあり得る。代替実施形態では、ベースバンド処理回路要素１０２４およびアプリケーション処理回路要素１０２６の一部または全部は１つのチップまたはチップのセットになるように組み合わせられ得、ＲＦトランシーバ回路要素１０２２は別個のチップまたはチップのセット上にあり得る。さらに代替の実施形態では、ＲＦトランシーバ回路要素１０２２およびベースバンド処理回路要素１０２４の一部または全部は同じチップまたはチップのセット上にあり得、アプリケーション処理回路要素１０２６は別個のチップまたはチップのセット上にあり得る。また他の代替実施形態では、ＲＦトランシーバ回路要素１０２２、ベースバンド処理回路要素１０２４、およびアプリケーション処理回路要素１０２６の一部または全部は、同じチップまたはチップのセット中で組み合わせられ得る。いくつかの実施形態では、ＲＦトランシーバ回路要素１０２２は、インターフェース１０１４の一部であり得る。ＲＦトランシーバ回路要素１０２２は、処理回路要素１０２０のためのＲＦ信号を調節し得る。
【０１０８】
いくつかの実施形態では、ＷＤによって実施されるものとして本明細書で説明される機能性の一部または全部は、デバイス可読媒体１０３０に記憶された命令を実行する処理回路要素１０２０によって提供され得、デバイス可読媒体１０３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１０２０によって提供され得る。それらの特定の実施形態のいずれでも、デバイス可読記憶媒体に記憶された命令を実行するか否かにかかわらず、処理回路要素１０２０は、説明される機能性を実施するように設定され得る。そのような機能性によって提供される利益は、処理回路要素１０２０単独に、またはＷＤ１０１０の他の構成要素に限定されないが、全体としてＷＤ１０１０によって、ならびに／または概してエンドユーザおよび無線ネットワークによって、享受される。
【０１０９】
処理回路要素１０２０は、ＷＤによって実施されるものとして本明細書で説明される、任意の決定動作、計算動作、または同様の動作（たとえば、いくつかの取得動作）を実施するように設定され得る。処理回路要素１０２０によって実施されるようなこれらの動作は、処理回路要素１０２０によって取得された情報を、たとえば、取得された情報を他の情報に変換することによって、処理すること、取得された情報または変換された情報をＷＤ１０１０によって記憶された情報と比較すること、ならびに／あるいは、取得された情報または変換された情報に基づいて、および前記処理が決定を行ったことの結果として、１つまたは複数の動作を実施することを含み得る。
【０１１０】
デバイス可読媒体１０３０は、コンピュータプログラム、ソフトウェア、論理、ルール、コード、テーブルなどのうちの１つまたは複数を含むアプリケーション、および／または処理回路要素１０２０によって実行されることが可能な他の命令を記憶するように動作可能であり得る。デバイス可読媒体１０３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１０２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１０２０およびデバイス可読媒体１０３０は、統合されていると見なされ得る。
【０１１１】
ユーザインターフェース機器１０３２は、人間のユーザがＷＤ１０１０と対話することを可能にする構成要素を提供し得る。そのような対話は、視覚、聴覚、触覚など、多くの形式のものであり得る。ユーザインターフェース機器１０３２は、ユーザへの出力を作り出すように、およびユーザがＷＤ１０１０への入力を提供することを可能にするように動作可能であり得る。対話のタイプは、ＷＤ１０１０にインストールされるユーザインターフェース機器１０３２のタイプに応じて変化し得る。たとえば、ＷＤ１０１０がスマートフォンである場合、対話はタッチスクリーンを介したものであり得、ＷＤ１０１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１０３２は、入力インターフェース、デバイスおよび回路、ならびに、出力インターフェース、デバイスおよび回路を含み得る。ユーザインターフェース機器１０３２は、ＷＤ１０１０への情報の入力を可能にするように設定され、処理回路要素１０２０が入力情報を処理することを可能にするために、処理回路要素１０２０に接続される。ユーザインターフェース機器１０３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１０３２はまた、ＷＤ１０１０からの情報の出力を可能にするように、および処理回路要素１０２０がＷＤ１０１０からの情報を出力することを可能にするように設定される。ユーザインターフェース機器１０３２は、たとえば、スピーカー、ディスプレイ、振動回路要素、ＵＳＢポート、ヘッドフォンインターフェース、または他の出力回路要素を含み得る。ユーザインターフェース機器１０３２の１つまたは複数の入力および出力インターフェース、デバイス、および回路を使用して、ＷＤ１０１０は、エンドユーザおよび／または無線ネットワークと通信し、エンドユーザおよび／または無線ネットワークが本明細書で説明される機能性から利益を得ることを可能にし得る。
【０１１２】
補助機器１０３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器１０３４の構成要素の包含およびタイプは、実施形態および／またはシナリオに応じて変化し得る。
【０１１３】
電源１０３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１０１０は、電源１０３６から、本明細書で説明または示される任意の機能性を行うために電源１０３６からの電力を必要とする、ＷＤ１０１０の様々な部分に電力を配信するための、電力回路要素１０３７をさらに備え得る。電力回路要素１０３７は、いくつかの実施形態では、電力管理回路要素を備え得る。電力回路要素１０３７は、追加または代替として、外部電源から電力を受信するように動作可能であり得、その場合、ＷＤ１０１０は、電力ケーブルなどの入力回路要素またはインターフェースを介して（電気コンセントなどの）外部電源に接続可能であり得る。電力回路要素１０３７はまた、いくつかの実施形態では、外部電源から電源１０３６に電力を配信するように動作可能であり得る。これは、たとえば、電源１０３６の充電のためのものであり得る。電力回路要素１０３７は、電源１０３６からの電力に対して、その電力を、電力が供給されるＷＤ１０１０のそれぞれの構成要素に好適であるようにするために、任意のフォーマッティング、変換、または他の修正を実施し得る。
【０１１４】
図１１は、本明細書で説明される様々な態様による、ＵＥの一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ１１００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図１１に示されているＵＥ１１００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１１はＵＥであるが、本明細書で説明される構成要素は、ＷＤに等しく適用可能であり、その逆も同様である。
【０１１５】
図１１では、ＵＥ１１００は、入出力インターフェース１１０５、無線周波数（ＲＦ）インターフェース１１０９、ネットワーク接続インターフェース１１１１、ランダムアクセスメモリ（ＲＡＭ）１１１７と読取り専用メモリ（ＲＯＭ）１１１９と記憶媒体１１２１などとを含むメモリ１１１５、通信サブシステム１１３１、電源１１１３、および／または他の構成要素、あるいはそれらの任意の組合せに動作可能に結合された、処理回路要素１１０１を含む。記憶媒体１１２１は、オペレーティングシステム１１２３と、アプリケーションプログラム１１２５と、データ１１２７とを含む。他の実施形態では、記憶媒体１１２１は、他の同様のタイプの情報を含み得る。いくつかのＵＥは、図１１に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【０１１６】
図１１では、処理回路要素１１０１は、コンピュータ命令およびデータを処理するように設定され得る。処理回路要素１１０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素１１０１は、２つの中央処理ユニット（ＣＰＵ）を含み得る。データは、コンピュータによる使用に好適な形式での情報であり得る。
【０１１７】
図示された実施形態では、入出力インターフェース１１０５は、入力デバイス、出力デバイス、または入出力デバイスに通信インターフェースを提供するように設定され得る。ＵＥ１１００は、入出力インターフェース１１０５を介して出力デバイスを使用するように設定され得る。出力デバイスは、入力デバイスと同じタイプのインターフェースポートを使用し得る。たとえば、ＵＥ１１００への入力およびＵＥ１１００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ１１００は、ユーザがＵＥ１１００に情報をキャプチャすることを可能にするために、入出力インターフェース１１０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１１８】
図１１では、ＲＦインターフェース１１０９は、送信機、受信機、およびアンテナなど、ＲＦ構成要素に通信インターフェースを提供するように設定され得る。ネットワーク接続インターフェース１１１１は、ネットワーク１１４３ａに通信インターフェースを提供するように設定され得る。ネットワーク１１４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク１１４３ａは、Ｗｉ−Ｆｉネットワークを備え得る。ネットワーク接続インターフェース１１１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース１１１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【０１１９】
ＲＡＭ１１１７は、オペレーティングシステム、アプリケーションプログラム、およびデバイスドライバなど、ソフトウェアプログラムの実行中に、データまたはコンピュータ命令の記憶またはキャッシングを提供するために、バス１１０２を介して処理回路要素１１０１にインターフェースするように設定され得る。ＲＯＭ１１１９は、処理回路要素１１０１にコンピュータ命令またはデータを提供するように設定され得る。たとえば、ＲＯＭ１１１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体１１２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体１１２１は、オペレーティングシステム１１２３と、ウェブブラウザアプリケーション、ウィジェットまたはガジェットエンジン、あるいは別のアプリケーションなどのアプリケーションプログラム１１２５と、データファイル１１２７とを含むように設定され得る。記憶媒体１１２１は、ＵＥ１１００による使用のために、多様な様々なオペレーティングシステムまたはオペレーティングシステムの組合せのうちのいずれかを記憶し得る。
【０１２０】
記憶媒体１１２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体１１２１は、ＵＥ１１００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体１１２１中に有形に具現され得、記憶媒体１１２１はデバイス可読媒体を備え得る。
【０１２１】
図１１では、処理回路要素１１０１は、通信サブシステム１１３１を使用してネットワーク１１４３ｂと通信するように設定され得る。ネットワーク１１４３ａとネットワーク１１４３ｂとは、同じ１つまたは複数のネットワークまたは異なる１つまたは複数のネットワークであり得る。通信サブシステム１１３１は、ネットワーク１１４３ｂと通信するために使用される１つまたは複数のトランシーバを含むように設定され得る。たとえば、通信サブシステム１１３１は、ＩＥＥＥ８０２．１２、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機１１３３および／または受信機１１３５を含み得る。さらに、各トランシーバの送信機１１３３および受信機１１３５は、回路構成要素、ソフトウェアまたはファームウェアを共有し得るか、または、代替的に、別個に実装され得る。
【０１２２】
示されている実施形態では、通信サブシステム１１３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム１１３１は、セルラー通信と、Ｗｉ−Ｆｉ通信と、Ｂｌｕｅｔｏｏｔｈ通信と、ＧＰＳ通信とを含み得る。ネットワーク１１４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク１１４３ｂは、セルラーネットワーク、Ｗｉ−Ｆｉネットワーク、および／またはニアフィールドネットワークであり得る。電源１１１３は、ＵＥ１１００の構成要素に交流（ＡＣ）または直流（ＤＣ）電力を提供するように設定され得る。
【０１２３】
本明細書で説明される特徴、利益および／または機能は、ＵＥ１１００の構成要素のうちの１つにおいて実装されるか、またはＵＥ１１００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム１１３１は、本明細書で説明される構成要素のうちのいずれかを含むように設定され得る。さらに、処理回路要素１１０１は、バス１１０２上でそのような構成要素のうちのいずれかと通信するように設定され得る。別の例では、そのような構成要素のうちのいずれかは、処理回路要素１１０１によって実行されたとき、本明細書で説明される対応する機能を実施する、メモリに記憶されたプログラム命令によって表され得る。別の例では、そのような構成要素のうちのいずれかの機能性は、処理回路要素１１０１と通信サブシステム１１３１との間で分割され得る。別の例では、そのような構成要素のうちのいずれかの非計算集約的機能が、ソフトウェアまたはファームウェアで実装され得、計算集約的機能がハードウェアで実装され得る。
【０１２４】
図１２は、いくつかの実施形態によって実装される機能が仮想化され得る、仮想化環境１２００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１２５】
いくつかの実施形態では、本明細書で説明される機能の一部または全部は、ハードウェアノード１２３０のうちの１つまたは複数によってホストされる１つまたは複数の仮想環境１２００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１２６】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション１２２０によって実装され得る。アプリケーション１２２０は、処理回路要素１２６０とメモリ１２９０−１とを備えるハードウェア１２３０を提供する、仮想化環境１２００において稼働される。メモリ１２９０−１は、処理回路要素１２６０によって実行可能な命令１２９５を含んでおり、それにより、アプリケーション１２２０は、本明細書で開示される特徴、利益、および／または機能のうちの１つまたは複数を提供するように動作可能である。
【０１２７】
仮想化環境１２００は、１つまたは複数のプロセッサのセットまたは処理回路要素１２６０を備える、汎用または専用のネットワークハードウェアデバイス１２３０を備え、１つまたは複数のプロセッサのセットまたは処理回路要素１２６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ１２９０−１を備え得、メモリ１２９０−１は、処理回路要素１２６０によって実行される命令１２９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）１２７０を備え得、ネットワークインターフェースコントローラ（ＮＩＣ）１２７０は物理ネットワークインターフェース１２８０を含む。各ハードウェアデバイスは、処理回路要素１２６０によって実行可能なソフトウェア１２９５および／または命令を記憶した、非一時的、永続的、機械可読記憶媒体１２９０−２をも含み得る。ソフトウェア１２９５は、１つまたは複数の（ハイパーバイザとも呼ばれる）仮想化レイヤ１２５０をインスタンス化するためのソフトウェア、仮想マシン１２４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１２８】
仮想マシン１２４０は、仮想処理、仮想メモリ、仮想ネットワーキングまたはインターフェース、および仮想記憶域を備え、対応する仮想化レイヤ１２５０またはハイパーバイザによって稼働され得る。仮想アプライアンス１２２０の事例の異なる実施形態が、仮想マシン１２４０のうちの１つまたは複数上で実装され得、実装は異なるやり方で行われ得る。
【０１２９】
動作中に、処理回路要素１２６０は、ソフトウェア１２９５を実行してハイパーバイザまたは仮想化レイヤ１２５０をインスタンス化し、ハイパーバイザまたは仮想化レイヤ１２５０は、時々、仮想マシンモニタ（ＶＭＭ）と呼ばれることがある。仮想化レイヤ１２５０は、仮想マシン１２４０に、ネットワーキングハードウェアのように見える仮想動作プラットフォームを提示し得る。
【０１３０】
図１２に示されているように、ハードウェア１２３０は、一般的なまたは特定の構成要素をもつスタンドアロンネットワークノードであり得る。ハードウェア１２３０は、アンテナ１２２５を備え得、仮想化を介していくつかの機能を実装し得る。代替的に、ハードウェア１２３０は、多くのハードウェアノードが協働し、特に、アプリケーション１２２０のライフサイクル管理を監督する、管理およびオーケストレーション（ＭＡＮＯ）１２１０を介して管理される、（たとえば、データセンターまたは顧客構内機器（ＣＰＥ）の場合のような）ハードウェアのより大きいクラスタの一部であり得る。
【０１３１】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１３２】
ＮＦＶのコンテキストでは、仮想マシン１２４０は、プログラムを、それらのプログラムが、物理的な仮想化されていないマシン上で実行しているかのように稼働する、物理マシンのソフトウェア実装形態であり得る。仮想マシン１２４０の各々と、その仮想マシンに専用のハードウェアであろうと、および／またはその仮想マシンによって仮想マシン１２４０のうちの他の仮想マシンと共有されるハードウェアであろうと、その仮想マシンを実行するハードウェア１２３０のその一部とは、別個の仮想ネットワークエレメント（ＶＮＥ）を形成する。
【０１３３】
さらにＮＦＶのコンテキストでは、仮想ネットワーク機能（ＶＮＦ）は、ハードウェアネットワーキングインフラストラクチャ１２３０の上の１つまたは複数の仮想マシン１２４０において稼働する固有のネットワーク機能をハンドリングすることを担当し、図１２中のアプリケーション１２２０に対応する。
【０１３４】
いくつかの実施形態では、各々、１つまたは複数の送信機１２２２と１つまたは複数の受信機１２２１とを含む、１つまたは複数の無線ユニット１２２０は、１つまたは複数のアンテナ１２２５に結合され得る。無線ユニット１２２０は、１つまたは複数の適切なネットワークインターフェースを介してハードウェアノード１２３０と直接通信し得、無線アクセスノードまたは基地局など、無線能力をもつ仮想ノードを提供するために仮想構成要素と組み合わせて使用され得る。
【０１３５】
いくつかの実施形態では、何らかのシグナリングが、ハードウェアノード１２３０と無線ユニット１２２０との間の通信のために代替的に使用され得る制御システム１２２３を使用して、実現され得る。
【０１３６】
図１３は、いくつかの実施形態による、中間ネットワークを介してホストコンピュータに接続された電気通信ネットワークを示す。特に、図１３を参照すると、一実施形態によれば、通信システムが、無線アクセスネットワークなどのアクセスネットワーク１３１１とコアネットワーク１３１４とを備える、３ＧＰＰタイプセルラーネットワークなどの電気通信ネットワーク１３１０を含む。アクセスネットワーク１３１１は、ＮＢ、ｅＮＢ、ｇＮＢまたは他のタイプの無線アクセスポイントなど、複数の基地局１３１２ａ、１３１２ｂ、１３１２ｃを備え、各々が、対応するカバレッジエリア１３１３ａ、１３１３ｂ、１３１３ｃを規定する。各基地局１３１２ａ、１３１２ｂ、１３１２ｃは、有線接続または無線接続１３１５上でコアネットワーク１３１４に接続可能である。カバレッジエリア１３１３ｃ中に位置する第１のＵＥ１３９１が、対応する基地局１３１２ｃに無線で接続するか、または対応する基地局１３１２ｃによってページングされるように設定される。カバレッジエリア１３１３ａ中の第２のＵＥ１３９２が、対応する基地局１３１２ａに無線で接続可能である。この例では複数のＵＥ１３９１、１３９２が示されているが、開示される実施形態は、唯一のＵＥがカバレッジエリア中にある状況、または唯一のＵＥが対応する基地局１３１２に接続している状況に等しく適用可能である。
【０１３７】
電気通信ネットワーク１３１０は、それ自体、ホストコンピュータ１３３０に接続され、ホストコンピュータ１３３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ１３３０は、サービスプロバイダの所有または制御下にあり得、あるいはサービスプロバイダによってまたはサービスプロバイダに代わって動作され得る。電気通信ネットワーク１３１０とホストコンピュータ１３３０との間の接続１３２１および１３２２は、コアネットワーク１３１４からホストコンピュータ１３３０に直接延び得るか、または随意の中間ネットワーク１３２０を介して進み得る。中間ネットワーク１３２０は、パブリックネットワーク、プライベートネットワーク、またはホストされたネットワークのうちの１つ、またはそれらのうちの２つ以上の組合せであり得、中間ネットワーク１３２０は、もしあれば、バックボーンネットワークまたはインターネットであり得、特に、中間ネットワーク１３２０は、２つまたはそれ以上のサブネットワーク（図示せず）を備え得る。
【０１３８】
図１３の通信システムは全体として、接続されたＵＥ１３９１、１３９２とホストコンピュータ１３３０との間のコネクティビティを可能にする。コネクティビティは、オーバーザトップ（ＯＴＴ）接続１３５０として説明され得る。ホストコンピュータ１３３０および接続されたＵＥ１３９１、１３９２は、アクセスネットワーク１３１１、コアネットワーク１３１４、任意の中間ネットワーク１３２０、および考えられるさらなるインフラストラクチャ（図示せず）を媒介として使用して、ＯＴＴ接続１３５０を介して、データおよび／またはシグナリングを通信するように設定される。ＯＴＴ接続１３５０は、ＯＴＴ接続１３５０が通過する、参加する通信デバイスが、アップリンクおよびダウンリンク通信のルーティングに気づいていないという意味で、透過的であり得る。たとえば、基地局１３１２は、接続されたＵＥ１３９１にフォワーディング（たとえば、ハンドオーバ）されるべき、ホストコンピュータ１３３０から発生したデータを伴う着信ダウンリンク通信の過去のルーティングについて、通知されないことがあるかまたは通知される必要がない。同様に、基地局１３１２は、ＵＥ１３９１から発生してホストコンピュータ１３３０に向かう発信アップリンク通信の将来ルーティングに気づいている必要がない。
【０１３９】
次に、一実施形態による、前の段落において説明されたＵＥ、基地局およびホストコンピュータの例示的な実装形態が、図１４を参照しながら説明される。図１４は、いくつかの実施形態による、部分的無線接続上で基地局を介してユーザ機器と通信するホストコンピュータを示す。通信システム１４００では、ホストコンピュータ１４１０が、通信システム１４００の異なる通信デバイスのインターフェースとの有線接続または無線接続をセットアップおよび維持するように設定された通信インターフェース１４１６を含む、ハードウェア１４１５を備える。ホストコンピュータ１４１０は、記憶能力および／または処理能力を有し得る、処理回路要素１４１８をさらに備える。特に、処理回路要素１４１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１４１０は、ホストコンピュータ１４１０に記憶されるかまたはホストコンピュータ１４１０によってアクセス可能であり、処理回路要素１４１８によって実行可能である、ソフトウェア１４１１をさらに備える。ソフトウェア１４１１は、ホストアプリケーション１４１２を含む。ホストアプリケーション１４１２は、ＵＥ１４３０およびホストコンピュータ１４１０において終端するＯＴＴ接続１４５０を介して接続するＵＥ１４３０など、リモートユーザにサービスを提供するように動作可能であり得る。リモートユーザにサービスを提供する際に、ホストアプリケーション１４１２は、ＯＴＴ接続１４５０を使用して送信されるユーザデータを提供し得る。
【０１４０】
通信システム１４００は、電気通信システム中に提供される基地局１４２０をさらに含み、基地局１４２０は、基地局１４２０がホストコンピュータ１４１０およびＵＥ１４３０と通信することを可能にするハードウェア１４２５を備える。ハードウェア１４２５は、通信システム１４００の異なる通信デバイスのインターフェースとの有線接続または無線接続をセットアップおよび維持するための通信インターフェース１４２６、ならびに基地局１４２０によってサーブされるカバレッジエリア（図１４に図示せず）中に位置するＵＥ１４３０との少なくとも無線接続１４７０をセットアップおよび維持するための無線インターフェース１４２７を含み得る。通信インターフェース１４２６は、ホストコンピュータ１４１０への接続１４６０を容易にするように設定され得る。接続１４６０は直接であり得るか、あるいは、接続１４６０は、電気通信システムのコアネットワーク（図１４に図示せず）を、および／または電気通信システムの外部の１つまたは複数の中間ネットワークを通過し得る。図示の実施形態では、基地局１４２０のハードウェア１４２５は、処理回路要素１４２８をさらに含み、処理回路要素１４２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１４２０は、内部的に記憶されるかまたは外部接続を介してアクセス可能なソフトウェア１４２１をさらに有する。
【０１４１】
通信システム１４００は、すでに言及されたＵＥ１４３０をさらに含む。ＵＥ１４３０のハードウェア１４３５は、ＵＥ１４３０が現在位置するカバレッジエリアをサーブする基地局との無線接続１４７０をセットアップおよび維持するように設定された、無線インターフェース１４３７を含み得る。ＵＥ１４３０のハードウェア１４３５は、処理回路要素１４３８をさらに含み、処理回路要素１４３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１４３０は、ＵＥ１４３０に記憶されるかまたはＵＥ１４３０によってアクセス可能であり、処理回路要素１４３８によって実行可能である、ソフトウェア１４３１をさらに備える。ソフトウェア１４３１は、クライアントアプリケーション１４３２を含む。クライアントアプリケーション１４３２は、ホストコンピュータ１４１０のサポートのもとに、ＵＥ１４３０を介して人間のまたは人間でないユーザにサービスを提供するように動作可能であり得る。ホストコンピュータ１４１０では、実行しているホストアプリケーション１４１２は、ＵＥ１４３０およびホストコンピュータ１４１０において終端するＯＴＴ接続１４５０を介して、実行しているクライアントアプリケーション１４３２と通信し得る。ユーザにサービスを提供する際に、クライアントアプリケーション１４３２は、ホストアプリケーション１４１２から要求データを受信し、要求データに応答してユーザデータを提供し得る。ＯＴＴ接続１４５０は、要求データとユーザデータの両方を転送し得る。クライアントアプリケーション１４３２は、クライアントアプリケーション１４３２が提供するユーザデータを生成するためにユーザと対話し得る。
【０１４２】
図１４に示されているホストコンピュータ１４１０、基地局１４２０およびＵＥ１４３０は、それぞれ、図１４のホストコンピュータ１４３０、基地局１４１２ａ、１４１２ｂ、１４１２ｃのうちの１つ、およびＵＥ１４９１、１４９２のうちの１つと同様または同等であり得ることに留意されたい。つまり、これらのエンティティの内部の働きは、図１４に示されているようなものであり得、別個に、周囲のネットワークトポロジーは、図１３のものであり得る。
【０１４３】
図１４では、ＯＴＴ接続１４５０は、仲介デバイスとこれらのデバイスを介したメッセージの正確なルーティングとへの明示的言及なしに、基地局１４２０を介したホストコンピュータ１４１０とＵＥ１４３０との間の通信を示すために抽象的に描かれている。ネットワークインフラストラクチャが、ルーティングを決定し得、ネットワークインフラストラクチャは、ＵＥ１４３０からまたはホストコンピュータ１４１０を動作させるサービスプロバイダから、またはその両方からルーティングを隠すように設定され得る。ＯＴＴ接続１４５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１４４】
ＵＥ１４３０と基地局１４２０との間の無線接続１４７０は、本開示全体にわたって説明される実施形態の教示に従う。様々な実施形態のうちの１つまたは複数は、無線接続１４７０が最後のセグメントを形成するＯＴＴ接続１４５０を使用して、ＵＥ１４３０に提供されるＯＴＴサービスの性能を改善する。
【０１４５】
１つまたは複数の実施形態が改善する、データレート、レイテンシおよび他のファクタを監視する目的での、測定プロシージャが提供され得る。測定結果の変動に応答して、ホストコンピュータ１４１０とＵＥ１４３０との間のＯＴＴ接続１４５０を再設定するための随意のネットワーク機能性がさらにあり得る。測定プロシージャおよび／またはＯＴＴ接続１４５０を再設定するためのネットワーク機能性は、ホストコンピュータ１４１０のソフトウェア１４１１およびハードウェア１４１５でまたはＵＥ１４３０のソフトウェア１４３１およびハードウェア１４３５で、またはその両方で実装され得る。実施形態では、ＯＴＴ接続１４５０が通過する通信デバイスにおいてまたはそれに関連して、センサー（図示せず）が展開され得、センサーは、上記で例示された監視された量の値を供給すること、またはソフトウェア１４１１、１４３１が監視された量を算出または推定し得る他の物理量の値を供給することによって、測定プロシージャに参加し得る。ＯＴＴ接続１４５０の再設定は、メッセージフォーマット、再送信セッティング、好ましいルーティングなどを含み得、再設定は、基地局１４２０に影響を及ぼす必要がなく、再設定は、基地局１４２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１４１０の測定を容易にするプロプライエタリＵＥシグナリングを伴い得る。測定は、ソフトウェア１４１１および１４３１が、ソフトウェア１４１１および１４３１が伝搬時間、エラーなどを監視する間にＯＴＴ接続１４５０を使用して、メッセージ、特に空のまたは「ダミー」メッセージが送信されることを引き起こすことにおいて、実装され得る。
【０１４６】
図１５は、一実施形態による、通信システムにおいて実装される方法を示すフローチャートである。通信システムは、図１３および図１４を参照しながら説明されたものであり得る、ホストコンピュータ、基地局およびＵＥを含む。本開示の簡単のために、図１５への図面参照のみがこのセクションに含まれる。ステップ１５１０において、ホストコンピュータはユーザデータを提供する。ステップ１５１０の（随意であり得る）サブステップ１５１１において、ホストコンピュータは、ホストアプリケーションを実行することによって、ユーザデータを提供する。ステップ１５２０において、ホストコンピュータは、ＵＥにユーザデータを搬送する送信を始動する。（随意であり得る）ステップ１５３０において、基地局は、本開示全体にわたって説明される実施形態の教示に従って、ホストコンピュータが始動した送信において搬送されたユーザデータをＵＥに送信する。（また、随意であり得る）ステップ１５４０において、ＵＥは、ホストコンピュータによって実行されるホストアプリケーションに関連付けられたクライアントアプリケーションを実行する。
【０１４７】
図１６は、一実施形態による、通信システムにおいて実装される方法を示すフローチャートである。通信システムは、図１３および図１４を参照しながら説明されたものであり得る、ホストコンピュータ、基地局およびＵＥを含む。本開示の簡単のために、図１６への図面参照のみがこのセクションに含まれる。方法のステップ１６１０において、ホストコンピュータはユーザデータを提供する。随意のサブステップ（図示せず）において、ホストコンピュータは、ホストアプリケーションを実行することによって、ユーザデータを提供する。ステップ１６２０において、ホストコンピュータは、ＵＥにユーザデータを搬送する送信を始動する。送信は、本開示全体にわたって説明される実施形態の教示に従って、基地局を介して進み得る。（随意であり得る）ステップ１６３０において、ＵＥは、送信において搬送されたユーザデータを受信する。
【０１４８】
図１７は、一実施形態による、通信システムにおいて実装される方法を示すフローチャートである。通信システムは、図１３および図１４を参照しながら説明されたものであり得る、ホストコンピュータ、基地局およびＵＥを含む。本開示の簡単のために、図１７への図面参照のみがこのセクションに含まれる。（随意であり得る）ステップ１７１０において、ＵＥは、ホストコンピュータによって提供された入力データを受信する。追加または代替として、ステップ１７２０において、ＵＥはユーザデータを提供する。ステップ１７２０の（随意であり得る）サブステップ１７２１において、ＵＥは、クライアントアプリケーションを実行することによって、ユーザデータを提供する。ステップ１７１０の（随意であり得る）サブステップ１７１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１７３０において、ホストコンピュータへのユーザデータの送信を始動する。方法のステップ１７４０において、ホストコンピュータは、本開示全体にわたって説明される実施形態の教示に従って、ＵＥから送信されたユーザデータを受信する。
【０１４９】
図１８は、一実施形態による、通信システムにおいて実装される方法を示すフローチャートである。通信システムは、図１３および図１４を参照しながら説明されたものであり得る、ホストコンピュータ、基地局およびＵＥを含む。本開示の簡単のために、図１８への図面参照のみがこのセクションに含まれる。（随意であり得る）ステップ１８１０において、本開示全体にわたって説明される実施形態の教示に従って、基地局は、ＵＥからユーザデータを受信する。（随意であり得る）ステップ１８２０において、基地局は、ホストコンピュータへの、受信されたユーザデータの送信を始動する。（随意であり得る）ステップ１８３０において、ホストコンピュータは、基地局によって始動された送信において搬送されたユーザデータを受信する。
【０１５０】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１５１】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、その説明から明らかになろう。
【０１５２】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１５３】
添付の図面を参照しながら、本明細書で企図される実施形態のうちのいくつかがより十分に説明される。しかしながら、他の実施形態が、本明細書で開示される主題の範囲内に含まれている。開示される主題は、本明細書に記載される実施形態のみに限定されるものとして解釈されるべきではなく、むしろ、これらの実施形態は、当業者に主題の範囲を伝達するために、例として提供される。
【０１５４】
一実施形態によれば、チャネル状態情報リポートに優先度を付けるための、無線デバイスによって実施される方法は、送信のために各々別々にスケジュールされる複数のチャネル状態情報リポートの部分を、リポートが、データが無線デバイスによって正常に受信されたのか正常に受信されなかったのかを示す確認応答情報とともに同じスロット中で送信されると決定したことに応答して、送信することを決定することを含む。方法は、そのスロット中で無線デバイスによって、チャネル状態情報のその部分と確認応答情報とを送信することをさらに含む。
【０１５５】
部分を送信することを前記決定することは、複数のチャネル状態情報リポートのうちの少なくとも１つを送信しないことを決定することを含み得る。
【０１５６】
部分を送信することを前記決定することは、優先度付け基準に従ってチャネル状態情報リポートの部分を選択することを含み得る。
【０１５７】
優先度付け基準は、チャネル状態情報リポートのペイロードサイズに関連付けられ得る。
【０１５８】
優先度付け基準は、チャネル状態情報リポートの時間領域挙動に関連付けられ得る。
【０１５９】
優先度付け基準は、チャネル状態情報リポートの周期性に関連付けられ得る。
【０１６０】
優先度付け基準は、チャネル状態情報リポートの周波数粒度に関連付けられ得る。
【０１６１】
優先度付け基準は、チャネル状態情報のタイプに関連付けられ得る。
【０１６２】
優先度付け基準は、チャネル状態情報リポートに関連付けられたかまたはチャネル状態情報リポートによって示されたチャネル品質情報に関連付けられ得る。
【０１６３】
チャネル品質はブロック誤り率に対応し得る。
【０１６４】
優先度付け基準は、チャネル状態情報リポートのパラメータに関連付けられ得る。
【０１６５】
優先度付け基準は、チャネル状態情報リポートの識別子に関連付けられ得る。
【０１６６】
リポートが確認応答情報とともに同じスロット中で送信されると前記決定することは、送信のために各々別々にスケジュールされる複数のチャネル状態情報リポートの送信を限定しないデフォルト送信または報告ルールに関連付けられ得る。
【０１６７】
部分を送信することを前記決定することは、各リポートが、確認応答情報のように、スロットの少なくとも１つのシンボル上で送信されると決定することを含み得る。
【０１６８】
方法は、ユーザデータを提供することと、ネットワークノードへの送信を介してホストコンピュータにユーザデータをフォワーディングすることとをさらに含み得る。
【０１６９】
一実施形態によれば、チャネル状態情報リポートに優先度を付けるための、ネットワークノードによって実施される方法は、無線デバイスから、同じスロット中でネットワークノードによって、少なくとも１つの、優先するチャネル状態情報リポートと、データが無線デバイスによって正常に受信されたのか正常に受信されなかったのかを示す確認応答情報とを受信することであって、各リポートと確認応答情報とが、同じスロット中での無線デバイスによる送信のために別々にスケジュールされる、少なくとも１つの、優先するチャネル状態情報リポートと、データが無線デバイスによって正常に受信されたのか正常に受信されなかったのかを示す確認応答情報とを受信することを含む。
【０１７０】
少なくとも１つの、優先するチャネル状態情報リポートは、複数のチャネル状態情報リポートから選択され得る。
【０１７１】
少なくとも１つの、優先するチャネル状態情報リポートは、優先度付け基準に基づいて複数のチャネル状態情報から選択され得る。
【０１７２】
優先度付け基準は、チャネル状態情報リポートのペイロードサイズに関連付けられ得る。
【０１７３】
優先度付け基準は、チャネル状態情報リポートの時間領域挙動に関連付けられ得る。
【０１７４】
優先度付け基準は、チャネル状態情報リポートの周期性に関連付けられ得る。
【０１７５】
優先度付け基準は、チャネル状態情報リポートの周波数粒度に関連付けられ得る。
【０１７６】
優先度付け基準は、チャネル状態情報のタイプに関連付けられ得る。
【０１７７】
優先度付け基準は、チャネル状態情報リポートに関連付けられたかまたはチャネル状態情報リポートによって示されたチャネル品質情報に関連付けられ得る。
【０１７８】
チャネル品質情報は、ブロック誤り率を含み得る。
【０１７９】
優先度付け基準は、チャネル状態情報リポートのパラメータに関連付けられ得る。
【０１８０】
優先度付け基準は、チャネル状態情報リポートの識別子に関連付けられる。
【０１８１】
前記受信することは、スロットの少なくとも１つのシンボル上でのものであり得る。
【０１８２】
方法は、ユーザデータを取得することと、ユーザデータをホストコンピュータまたは無線デバイスにフォワーディングすることとをさらに含み得る。
【０１８３】
一実施形態によれば、無線デバイスは、上記で説明された無線デバイスによって実施されるステップのうちのいずれかを実施するように設定される。
【０１８４】
一実施形態によれば、無線デバイスは、上記で説明された無線デバイスによって実施されるステップのうちのいずれかを実施するように設定された処理回路要素と、無線デバイスに電力を供給するように設定された電力供給回路要素とを備える。
【０１８５】
一実施形態によれば、無線デバイスは、処理回路要素とメモリとを備え、メモリは、処理回路要素によって実行可能な命令を含んでおり、それにより、無線デバイスは、上記で説明された無線デバイスによって実施されるステップのうちのいずれかを実施するように設定される。
【０１８６】
一実施形態によれば、ユーザ機器（ＵＥ）は、無線信号を送り、受信するように設定されたアンテナと、アンテナおよび処理回路要素に接続され、アンテナと処理回路要素との間で通信される信号を調節するように設定された、無線フロントエンド回路要素であって、処理回路要素が、上記で説明された無線デバイスによって実施されるステップのうちのいずれかを実施するように設定された、無線フロントエンド回路要素と、処理回路要素に接続され、ＵＥへの情報の入力が処理回路要素によって処理されることを可能にするように設定された、入力インターフェースと、処理回路要素に接続され、処理回路要素によって処理されたＵＥからの情報を出力するように設定された、出力インターフェースと、処理回路要素に接続され、ＵＥに電力を供給するように設定された、バッテリーとを備える。
【０１８７】
一実施形態によれば、コンピュータプログラムは、無線デバイスの少なくとも１つのプロセッサによって実行されたとき、無線デバイスに、上記で説明された無線デバイスによって実施されるステップを行わせる命令を備える。
【０１８８】
一実施形態によれば、キャリアはコンピュータプログラムを含んでおり、キャリアは、電子信号、光信号、無線信号、またはコンピュータ可読記憶媒体のうちの１つである。
【０１８９】
一実施形態によれば、基地局は、上記で説明された基地局によって実施されるステップのうちのいずれかを実施するように設定される。
【０１９０】
一実施形態によれば、基地局は、上記で説明された基地局によって実施されるステップのうちのいずれかを実施するように設定された処理回路要素と、無線デバイスに電力を供給するように設定された電力供給回路要素とを備える。
【０１９１】
一実施形態によれば、基地局は、処理回路要素とメモリとを備え、メモリは、処理回路要素によって実行可能な命令を含んでおり、それにより、基地局は、上記で説明された基地局によって実施されるステップのうちのいずれかを実施するように設定される。
【０１９２】
一実施形態によれば、コンピュータプログラムは、基地局の少なくとも１つのプロセッサによって実行されたとき、基地局に、上記で説明された基地局によって実施されるステップを行わせる命令を備える。
【０１９３】
一実施形態によれば、キャリアはコンピュータプログラムを含んでおり、キャリアは、電子信号、光信号、無線信号、またはコンピュータ可読記憶媒体のうちの１つである。
【０１９４】
一実施形態によれば、通信システムは、ユーザデータを提供するように設定された処理回路要素と、ユーザ機器（ＵＥ）への送信のためにユーザデータをセルラーネットワークにフォワーディングするように設定された通信インターフェースとを備えるホストコンピュータを含み、セルラーネットワークは、無線インターフェースと処理回路要素とを有する基地局を備え、基地局の処理回路要素は、上記で説明された基地局によって実施されるステップのうちのいずれかを実施するように設定される。
【０１９５】
通信システムは、基地局をさらに含み得る。
【０１９６】
通信システムは、ＵＥをさらに含み得、ＵＥは、基地局と通信するように設定される。
【０１９７】
ホストコンピュータの処理回路要素は、ホストアプリケーションを実行し、それによりユーザデータを提供するように設定され得、ＵＥは、ホストアプリケーションに関連付けられたクライアントアプリケーションを実行するように設定された処理回路要素を備え得る。
【０１９８】
一実施形態によれば、ホストコンピュータと、基地局と、ユーザ機器（ＵＥ）とを含む通信システムにおいて実装される方法があり、方法は、ホストコンピュータにおいて、ユーザデータを提供することと、ホストコンピュータにおいて、基地局を備えるセルラーネットワークを介してＵＥにユーザデータを搬送する送信を始動することとを含み、基地局は、上記で説明された基地局によって実施されるステップのうちのいずれかを実施する。
【０１９９】
方法は、基地局において、ユーザデータを送信することをさらに含み得る。
【０２００】
ユーザデータは、ホストアプリケーションを実行することによってホストコンピュータにおいて提供され得、方法は、ＵＥにおいて、ホストアプリケーションに関連付けられたクライアントアプリケーションを実行することをさらに含む。
【０２０１】
一実施形態によれば、ユーザ機器（ＵＥ）は、基地局と通信するように設定され、ＵＥは、上記の実施形態のうちのいずれかを実施するように設定された無線インターフェースおよび処理回路要素を備える。
【０２０２】
一実施形態によれば、ホストコンピュータを含む通信システムは、ユーザデータを提供するように設定された処理回路要素と、ユーザ機器（ＵＥ）への送信のためにユーザデータをセルラーネットワークにフォワーディングするように設定された通信インターフェースとを備え、ＵＥは、無線インターフェースと処理回路要素とを備え、ＵＥの構成要素は、上記で説明された無線デバイスによって実施されるステップのうちのいずれかを実施するように設定される。
【０２０３】
セルラーネットワークは、ＵＥと通信するように設定された基地局をさらに含み得る。
【０２０４】
ホストコンピュータの処理回路要素は、ホストアプリケーションを実行し、それによりユーザデータを提供するように設定され得、ＵＥの処理回路要素は、ホストアプリケーションに関連付けられたクライアントアプリケーションを実行するように設定される。
【０２０５】
一実施形態によれば、ホストコンピュータと、基地局と、ユーザ機器（ＵＥ）とを含む通信システムにおいて実装される方法があり、方法は、ホストコンピュータにおいて、ユーザデータを提供することと、ホストコンピュータにおいて、基地局を備えるセルラーネットワークを介してＵＥにユーザデータを搬送する送信を始動することとを含み、ＵＥは、上記で説明された無線デバイスによって実施されるステップのうちのいずれかを実施する。
【０２０６】
方法は、ＵＥにおいて、基地局からユーザデータを受信することをさらに含み得る。
【０２０７】
一実施形態によれば、ホストコンピュータを含む通信システムは、ユーザ機器（ＵＥ）から基地局への送信から発生したユーザデータを受信するように設定された通信インターフェースを備え、ＵＥは、無線インターフェースと処理回路要素とを備え、ＵＥの処理回路要素は、上記で説明された無線デバイスによって実施されるステップのうちのいずれかを実施するように設定される。
【０２０８】
通信システムは、ＵＥをさらに含み得る。
【０２０９】
通信システムは、基地局をさらに含み得、基地局は、ＵＥと通信するように設定された無線インターフェースと、ＵＥから基地局への送信によって搬送されたユーザデータをホストコンピュータにフォワーディングするように設定された通信インターフェースとを備える。
【０２１０】
ホストコンピュータの処理回路要素は、ホストアプリケーションを実行するように設定され得、ＵＥの処理回路要素は、ホストアプリケーションに関連付けられたクライアントアプリケーションを実行し、それによりユーザデータを提供するように設定される。
【０２１１】
ホストコンピュータの処理回路要素は、ホストアプリケーションを実行し、それにより要求データを提供するように設定され得、ＵＥの処理回路要素は、ホストアプリケーションに関連付けられたクライアントアプリケーションを実行し、それにより要求データに応答してユーザデータを提供するように設定される。
【０２１２】
一実施形態によれば、ホストコンピュータと、基地局と、ユーザ機器（ＵＥ）とを含む通信システムにおいて実装される方法があり、方法は、ホストコンピュータにおいて、ＵＥから基地局に送信されたユーザデータを受信することを含み、ＵＥは、上記で説明された無線デバイスによって実施されるステップのうちのいずれかを実施する。
【０２１３】
方法は、ＵＥにおいて、基地局にユーザデータを提供することをさらに含み得る。
【０２１４】
方法は、ＵＥにおいて、クライアントアプリケーションを実行し、それにより、送信されるべきユーザデータを提供することと、ホストコンピュータにおいて、クライアントアプリケーションに関連付けられたホストアプリケーションを実行することとをさらに含み得る。
【０２１５】
方法は、ＵＥにおいて、クライアントアプリケーションを実行することと、ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することとをさらに含み得、送信されるべきユーザデータは、入力データに応答してクライアントアプリケーションによって提供される。
【０２１６】
一実施形態によれば、ユーザ機器（ＵＥ）から基地局への送信から発生したユーザデータを受信するように設定された通信インターフェースを備えるホストコンピュータを含む通信システムがあり、基地局は、無線インターフェースと処理回路要素とを備え、基地局の処理回路要素は、上記で説明された基地局によって実施されるステップのうちのいずれかを実施するように設定される。
【０２１７】
通信システムは、基地局をさらに含み得る。
【０２１８】
通信システムは、ＵＥをさらに含み得、ＵＥは、基地局と通信するように設定される。
【０２１９】
ホストコンピュータの処理回路要素は、ホストアプリケーションを実行するように設定され得、ＵＥは、ホストアプリケーションに関連付けられたクライアントアプリケーションを実行し、それにより、ホストコンピュータによって受信されるべきユーザデータを提供するように設定される。
【０２２０】
一実施形態によれば、ホストコンピュータと、基地局と、ユーザ機器（ＵＥ）とを含む通信システムにおいて実装される方法があり、方法は、ホストコンピュータにおいて、基地局から、基地局がＵＥから受信した送信から発生したユーザデータを受信することを含み、ＵＥは、上記で説明された無線デバイスによって実施されるステップのうちのいずれかを実施する。
【０２２１】
方法は、基地局において、ＵＥからユーザデータを受信することをさらに含み得る。
【０２２２】
方法は、基地局において、ホストコンピュータへの、受信されたユーザデータの送信を始動することをさらに含み得る。
【０２２３】
略語
以下の略語のうちの少なくともいくつかが本開示で使用され得る。略語間の不整合がある場合、上記でそれがどのように使用されるかが選好されるべきである。以下で複数回リストされる場合、最初のリスティングが（１つまたは複数の）後続のリスティングよりも選好されるべきである。
略語  説明
ＣＢＧ  コードブロックグループ
ＣＳＩ  チャネル状態情報
ＨＡＲＱ  ハイブリッド自動再送要求
ＭＣＳ  変調符号化方式
ＭＩＭＯ  多入力多出力
ＰＤＳＣＨ  物理共有データチャネル
ＰＵＣＣＨ  物理アップリンク制御チャネル
ＰＵＳＣＨ  物理アップリンク共有チャネル
ＳＲ  スケジューリング要求
ＵＣＩ  アップリンク制御情報
１ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加法性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンター
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンター
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテスト最小化
ＭＩＢ  マスタ情報ブロック
ＭＭＥ  モビリティ管理エンティティ
ＭＳＣ  モバイルスイッチングセンター
ＮＰＤＣＣＨ  狭帯域物理ダウンリンク制御チャネル
ＮＲ  新しい無線
ＯＣＮＧ  ＯＦＤＭＡチャネル雑音生成器
ＯＦＤＭ  直交周波数分割多重
ＯＦＤＭＡ  直交周波数分割多元接続
ＯＳＳ  運用サポートシステム
ＯＴＤＯＡ  観測到達時間差
Ｏ＆Ｍ  運用および保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＬＭＮ  パブリックランドモバイルネットワーク
ＰＭＩ  プリコーダ行列インジケータ
ＰＲＡＣＨ  物理ランダムアクセスチャネル
ＰＲＳ  測位参照信号
ＰＳＳ  １次同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力または
参照信号受信電力
ＲＳＲＱ  参照信号受信品質または
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＳＳ  ２次同期信号
ＴＤＤ  時分割複信
ＴＤＯＡ  到達時間差
ＴＯＡ  到達時間
ＴＳＳ  ３次同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  ユニバーサル加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＬＡＮ  ワイドローカルエリアネットワーク
【図１】
2021511708.tif 000007
【図２】
2021511708.tif 000008
【図３】
2021511708.tif 000009
【図４】
2021511708.tif 000010
【図５】
2021511708.tif 000011
【図６】
2021511708.tif 000012
【図７】
2021511708.tif 000013
【図８】
2021511708.tif 000014
【図９】
2021511708.tif 000015
【図１０】
2021511708.tif 000016
【図１１】
2021511708.tif 000017
【図１２】
2021511708.tif 000018
【図１３】
2021511708.tif 000019
【図１４】
2021511708.tif 000020
【図１５】
2021511708.tif 000021
【図１６】
2021511708.tif 000022
【図１７】
2021511708.tif 000023
【図１８】
2021511708.tif 000024
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
チャネル状態情報リポートに優先度を付けるための、無線デバイスによって実施される方法であって、
送信のために各々別々にスケジュールされる複数の物理アップリンク制御チャネル（ＰＵＣＣＨ）ベースチャネル状態情報（ＣＳＩ）リポートの部分を、前記複数のＰＵＣＣＨベースＣＳＩリポートが、データが前記無線デバイスによって正常に受信されたのか正常に受信されなかったのかを示す確認応答情報を同じスロット中で搬送するＰＵＣＣＨ送信と、時間的に重複すると決定したことに応答して、送信することを決定することであって、ＰＵＣＣＨベースＣＳＩリポートの前記部分が、半永続的ＣＳＩリポートが周期的ＣＳＩリポートに勝る優先度を有するように、前記ＰＵＣＣＨベースＣＳＩリポートの時間領域挙動に関連付けられた優先度付け基準に従って選択される、送信することを決定することと、
前記スロット中での前記無線デバイスによるＰＵＣＣＨ送信において、前記チャネル状態情報リポートの前記部分と前記確認応答情報とを送信することと
を含む、方法。
【請求項２】
前記部分を送信することを前記決定することが、
前記複数のＰＵＣＣＨベースＣＳＩリポートのうちの少なくとも１つを送信しないことを決定すること
を含む、請求項１に記載の方法。
【請求項３】
前記優先度付け基準がＰＵＣＣＨベースＣＳＩリポートのパラメータに関連付けられ、前記パラメータがリポート信号受信電力（ＲＳＲＰ）である、請求項１または２に記載の方法。
【請求項４】
前記優先度付け基準がＰＵＣＣＨベースＣＳＩリポートの識別子に関連付けられた、請求項１から３のいずれか一項に記載の方法。
【請求項５】
前記部分を送信することを前記決定することは、各ＰＵＣＣＨベースＣＳＩリポートが、前記確認応答情報も送信される、前記スロットの少なくとも１つの同じシンボル上で送信されると決定することを含む、請求項１から４のいずれか一項に記載の方法。
【請求項６】
前記複数のＰＵＣＣＨベースＣＳＩリポートの各々が、それぞれのＰＵＣＣＨ上での送信のためにスケジュールされる、請求項１から５のいずれか一項に記載の方法。
【請求項７】
前記複数のＰＵＣＣＨベースＣＳＩリポートの各々が周期的および／または半永続的チャネル状態情報リポートである、請求項１から６のいずれか一項に記載の方法。
【請求項８】
前記確認応答情報がハイブリッド自動再送要求確認応答（ＨＡＲＱ−ＡＣＫ）である、請求項１から７のいずれか一項に記載の方法。
【請求項９】
前記部分を送信することを前記決定することは、前記ＣＳＩリポートのうちのそれぞれの１つまたは複数を各々伝達する少なくとも２つのＰＵＣＣＨリソースが、ＨＡＲＱ−ＡＣＫを伝達する動的にスケジュールされたＰＵＣＣＨと重複すると決定することを含む、請求項８に記載の方法。
【請求項１０】
ネットワークノードによって実施される方法であって、前記方法は、
前記ネットワークノードによって、無線デバイスからの同じスロット中でのＰＵＣＣＨ送信において、複数の物理アップリンク制御チャネル（ＰＵＣＣＨ）ベースチャネル状態情報（ＣＳＩ）リポートから選択された少なくとも１つの、優先するＰＵＣＣＨベースＣＳＩリポートと、データが前記無線デバイスによって正常に受信されたのか正常に受信されなかったのかを示す確認応答情報とを受信することであって、前記複数のＰＵＣＣＨベースＣＳＩリポートの各々と前記確認応答情報とが、時間的に重複する、前記同じスロット中での前記無線デバイスによる送信のために別々にスケジュールされ、前記少なくとも１つの、優先するＰＵＣＣＨベースＣＳＩリポートが、半永続的ＣＳＩリポートが周期的ＣＳＩリポートに勝る優先度を有するように、前記ＰＵＣＣＨベースＣＳＩリポートの時間領域挙動に関連付けられた優先度付け基準に基づいて、前記複数のＰＵＣＣＨベースＣＳＩリポートから選択される、受信すること
を含む、方法。
【請求項１１】
前記無線デバイスによる送信のために前記複数のＰＵＣＣＨベースＣＳＩリポートを別々にスケジュールすることをさらに含む、請求項１０に記載の方法。
【請求項１２】
前記少なくとも１つの、優先するＰＵＣＣＨベースＣＳＩリポートが、前記優先度付け基準に基づいて受信される、請求項１０または１１に記載の方法。
【請求項１３】
前記優先度付け基準がＰＵＣＣＨベースＣＳＩリポートのパラメータに関連付けられ、前記パラメータがリポート信号受信電力（ＲＳＲＰ）である、請求項１０から１２のいずれか一項に記載の方法。
【請求項１４】
前記優先度付け基準がＰＵＣＣＨベースＣＳＩリポートの識別子に関連付けられた、請求項１０から１３のいずれか一項に記載の方法。
【請求項１５】
前記受信することが、前記スロットの少なくとも１つのシンボル上でのものである、請求項１０から１４のいずれか一項に記載の方法。
【請求項１６】
前記複数のＰＵＣＣＨベースＣＳＩリポートの各々が、それぞれの物理アップリンク制御チャネル（ＰＵＣＣＨ）上での送信のためにスケジュールされる、請求項１０から１５のいずれか一項に記載の方法。
【請求項１７】
前記確認応答情報がハイブリッド自動再送要求確認応答（ＨＡＲＱ−ＡＣＫ）である、請求項１０から１６のいずれか一項に記載の方法。
【請求項１８】
無線デバイスであって、
処理回路要素とメモリとを備え、前記メモリが、前記処理回路要素によって実行可能な命令を含んでおり、それにより、前記無線デバイスは、
送信のために各々別々にスケジュールされる複数の物理アップリンク制御チャネル（ＰＵＣＣＨ）ベースチャネル状態情報（ＣＳＩ）リポートの部分を、前記複数のＰＵＣＣＨベースＣＳＩリポートが、データが前記無線デバイスによって正常に受信されたのか正常に受信されなかったのかを示す確認応答情報を同じスロット中で搬送するＰＵＣＣＨ送信と、時間的に重複すると決定したことに応答して、送信することを決定することであって、前記無線デバイスが、半永続的ＣＳＩリポートが周期的ＣＳＩリポートに勝る優先度を有するように、前記ＰＵＣＣＨベースＣＳＩリポートの時間領域挙動に関連付けられた優先度付け基準に従って、ＰＵＣＣＨベースＣＳＩリポートの前記部分を選択するように設定された、送信することを決定することと、
前記スロット中での前記無線デバイスによるＰＵＣＣＨ送信において、チャネル状態情報リポートの前記部分と前記確認応答情報とを送信することと
を行うように設定された、無線デバイス。
【請求項１９】
基地局であって、
処理回路要素とメモリとを備え、前記メモリが、前記処理回路要素によって実行可能な命令を含んでおり、それにより、前記基地局は、
無線デバイスからの同じスロット中でのＰＵＣＣＨ送信において前記ネットワークノードによって、複数の物理アップリンク制御チャネル（ＰＵＣＣＨ）ベースチャネル状態情報（ＣＳＩ）リポートから選択された少なくとも１つの、優先するＰＵＣＣＨベースＣＳＩリポートと、データが前記無線デバイスによって正常に受信されたのか正常に受信されなかったのかを示す確認応答情報とを受信することであって、前記複数のＰＵＣＣＨベースＣＳＩリポートの各々と前記確認応答情報とが、時間的に重複する、前記同じスロット中での前記無線デバイスによる送信のために別々にスケジュールされ、前記少なくとも１つの、優先するＰＵＣＣＨベースＣＳＩリポートが、半永続的ＣＳＩリポートが周期的ＣＳＩリポートに勝る優先度を有するように、前記ＰＵＣＣＨベースＣＳＩリポートの時間領域挙動に関連付けられた優先度付け基準に基づいて、前記複数のＰＵＣＣＨベースＣＳＩリポートから選択される、受信すること
を行うように設定された、基地局。
【請求項２０】
無線デバイスの少なくとも１つのプロセッサによって実行されたとき、前記無線デバイスに請求項１から９のいずれか一項に記載のステップを行わせる命令を備えるプログラムを記憶した非一時的コンピュータ可読記憶媒体。
【国際調査報告】
2021511708.tif 000025
2021511708.tif 000026
2021511708.tif 000027
2021511708.tif 000028